(57)【要約】【課題】放送番組を周期的に繰返し上書き記録する場合でも、未視聴の記録ストリームを継続して保存し、視聴された際に消去するデジタル記録再生装置とする。【解決手段】予約管理テーブル９Ａに繰返し予約を登録した放送信号をデジタルデータの記録ストリームとしてＨＤＤ７に上書きする上書き記録部８ａが、次回の記録ストリームを上書きせんとした際に、前回の記録ストリームが未視聴であった場合、前回の記録ストリームを上書き可能な状態から上書きを回避する状態に変更して記録管理テーブル８Ａに登録し直すと共に、次回の記録ストリームについてはＨＤＤ７の新たな領域に記録し、かつ、上書き可能な状態を記録管理テーブル８Ａに登録する。更に、上書きを回避した記録ストリームが視聴された際に、変更登録部８ａ２により記録管理テーブル８Ａに視聴済みの状態を変更して登録することにより、上書き記録部８ａが当該記録ストリームを自動的に消去する。【選択図】        図１
2004213834.tif 000002
【特許請求の範囲】
【請求項１】
受信した放送信号のデジタル信号形式のデータストリームを記録ストリームとしてランダムアクセス可能なデジタル記録メディアに記録及び再生する記録再生手段と、現在時刻を計時する計時手段と、特定放送番組を周期的に繰返して記録することを予め予約する繰返し記録予約手段と、該繰返し記録予約手段により繰返し記録予約がなされた前記特定放送番組の放送年月日、放送開始時刻、放送終了時刻と、前記計時手段にて計時される現在時刻とに基づいて、前記記録再生手段により前記特定放送番組に関する放送信号のデジタル信号形式のデータストリームを上書き記録ストリームとして周期的に前記デジタル記録メディアに繰返し上書きして記録する上書き記録手段とを有するデジタル記録再生装置において、前記上書き記録手段が、前記特定放送番組に関して新たに発生した新規上書き記録ストリームを前記デジタル記録メディア上の記録領域に上書き記録する際に、当該新規上書き記録ストリームを記録した前記デジタル記録メディア上の前記記録領域の格納位置情報と共に、当該新規上書き記録ストリームが上書き記録可能な状態であることを示す上書き識別子と、当該新規上書き記録ストリームが未視聴の状態にあることを示す未視聴識別子とを設定して登録する上書き記録管理手段と、上書き記録された前記上書き記録ストリームを再生した際に、前記未視聴識別子を未視聴の状態から視聴済みを示す状態に変更して登録する変更登録手段とを有し、前記特定放送番組に関して新たに発生した新規上書き記録ストリームを上書き記録する際に、既に上書き記録されている前記上書き記録ストリームの前記未視聴識別子が未視聴の状態にある場合には、前記上書き記録ストリームに前記新規上書き記録ストリームを上書きせずに、既に上書き記録されている前記上書き記録ストリームの前記上書き識別子を上書き記録しない状態に変更して登録し直すことにより、上書き記録された上書き記録ストリームから通常の記録動作により記録された通常記録ストリームに変更すると共に、前記未視聴識別子を未視聴の状態のまま、前記デジタル記録メディアに継続して保存し、更に、上書き記録すべき前記新規上書き記録ストリームを、当該新規上書き記録ストリームの前記上書き識別子を上書き記録可能な状態を示す状態に設定すると共に、当該新規上書き記録ストリームの前記未視聴識別子を未視聴の状態に設定して、新たに確保した前記デジタル記録メディアの記録領域に記録することを特徴とするデジタル記録再生装置。
【請求項２】
請求項１に記載のデジタル記録再生装置において、前記新規上書き記録ストリームの上書き記録が実行される際に、既に上書き記録されている前記上書き記録ストリームの前記未視聴識別子が未視聴の状態にある場合に、前記上書き識別子を上書き記録しない状態に変更して登録し直す代わりに、当該上書き記録ストリームが、前記デジタル記録メディアに過去記録された際に上書き記録可能な上書き記録ストリームとして記録されていたことを示す上書き履歴情報として、通常の記録動作により記録された通常記録ストリームとの識別が可能な上書き保存識別子を付加した状態にして、前記未視聴識別子を未視聴の状態のまま、当該上書き記録ストリームに前記新規上書き記録ストリームを上書きせずに、前記デジタル記録メディアに継続して保存することとし、前記上書き履歴情報が付加されている当該上書き記録ストリームが再生されて、前記未視聴識別子が視聴済みの状態に変更された場合に、当該上書き記録ストリームを自動的に消去する、又は、新たな記録を行なう際に自動的に消去可能な記録ストリームであることを識別可能な情報を付加することを特徴とするデジタル記録再生装置。
【請求項３】
請求項２に記載のデジタル記録再生装置において、前記デジタル記録メディアに過去記録された際に上書き記録可能な上書き記録ストリームとして記録されていたことを示す前記上書き履歴情報として、通常の記録動作により記録された通常記録ストリームとの識別を可能とする前記上書き保存識別子を付加する代わりに、上書き記録された当該上書き記録ストリームに該当する特定放送番組を特定することができる番組識別番号を付加することを特徴とするデジタル記録再生装置。
【請求項４】
請求項２に記載のデジタル記録再生装置において、前記デジタル記録メディアに過去記録された際に上書き記録可能な上書き記録ストリームとして記録されていたことを示す前記上書き履歴情報として、通常の記録動作により記録された通常記録ストリームとの識別を可能とする前記上書き保存識別子を付加する代わりに、上書き記録された当該上書き記録ストリームに該当する特定放送番組を特定することができ、かつ、上書き記録された順序を識別することができる記録順序情報を付加することを特徴とするデジタル記録再生装置。
【請求項５】
請求項２乃至４のいずれかに記載のデジタル記録再生装置において、前記上書き履歴情報が付加されている上書き記録ストリームが再生されて、前記未視聴識別子が視聴済みの状態に変更された場合に、当該記録ストリームを自動的に消去することを可能とするか否かを、当該上書き記録ストリームに該当する前記特定放送番組毎に、ユーザが予め設定して登録していることを特徴とするデジタル記録再生装置。
【請求項６】
請求項２乃至５のいずれかに記載のデジタル記録再生装置において、前記デジタル記録メディアにおいて記録ストリームを記録可能な空き記録領域の容量を管理する空き容量管理手段と、新たに発生した新規記録ストリームにより使用される使用記録容量を予測する使用容量予測手段とを有し、新たに上書き記録予約が実行される際に、記録可能な前記空き記録領域の容量と新たに上書き記録すべき新規上書き記録ストリームにより使用されると予測される使用記録容量とを比較し、前記新規上書き記録ストリームを記録可能な空き記録領域が不足している場合においては、過去に上書き記録可能な上書き記録ストリームとして記録されていたことを示す前記上書き履歴情報が付加されている１個又は複数個の上書き記録ストリーム群の中から、記録日時が最も古い上書き記録ストリームを自動的に消去して、前記新規上書き記録ストリームを記録可能な空き記録領域として確保し、前記新規上書き記録ストリームを記録することを特徴とするデジタル記録再生装置。
【請求項７】
請求項６に記載のデジタル記録再生装置において、新たに上書き記録予約が実行される際に、新たに発生した新規上書き記録ストリームを記録可能な空き記録領域が不足している場合、過去に上書き記録可能な上書きストリームとして記録されていたことを示す前記上書き履歴情報が付加されている１個又は複数個の上書き記録ストリーム群の中から、自動的に消去する記録日時が最も古い上書き記録ストリームを選択する際に、新たに発生した前記新規上書き記録ストリームに該当する特定放送番組に関する上書き記録ストリームの中から、記録日時が最も古い上書き記録ストリームを選択することを特徴とするデジタル記録再生装置。
【請求項８】
請求項６又は７に記載のデジタル記録再生装置において、新たに上書き記録予約が実行される際に、新たに発生した新規上書き記録ストリームを記録可能な空き記録領域が不足している場合、過去に上書き記録可能な上書き記録ストリームとして記録されていたことを示す前記上書き履歴情報が付加されている１個又は複数個の上書き記録ストリーム群の中から、記録日時が古い上書き記録ストリームの順番に、各当該上書き記録ストリームが使用している使用済み記録容量を、順次累積して、前記新規上書き記録ストリームが使用すると予測される使用記録容量と比較し、前記新規上書き記録ストリームの前記使用記録容量以上の前記使用済み記録容量が累積されるまでの各前記上書き記録ストリームを自動的に消去して、前記新規上書き記録ストリームを記録可能な空き記録領域として確保し、前記新規上書き記録ストリームを記録することを特徴とするデジタル記録再生装置。
【請求項９】
請求項６乃至８のいずれかに記載のデジタル記録再生装置において、新たに上書き記録予約が実行される際に、新たに発生した新規上書き記録ストリームを記録可能な空き記録領域が不足している場合、過去に上書き記録可能な上書き記録ストリームとして記録されていたことを示す前記上書き履歴情報が付加されている１個又は複数個の上書き記録ストリーム群の中からいずれか記録日時が最も古い上書き記録ストリーム又は古い順番に順次上書き記録ストリームを自動的に消去することを可能とするか否かを、当該上書き記録ストリームに該当する前記特定放送番組毎に、ユーザが予め設定して登録していることを特徴とするデジタル記録再生装置。
【請求項１０】
受信した放送信号のデジタル信号形式のデータストリームを記録ストリームとしてランダムアクセス可能なデジタル記録メディアに記録及び再生する記録再生ステップと、現在時刻を計時する計時ステップと、特定放送番組を周期的に繰返して記録することを予め予約する繰返し記録予約ステップと、該繰返し記録予約ステップにより繰返し記録予約がなされた前記特定放送番組の放送年月日、放送開始時刻、放送終了時刻と、前記計時ステップにて計時される現在時刻とに基づいて、前記記録再生ステップにより前記特定放送番組に関する放送信号のデジタル信号形式のデータストリームを上書き記録ストリームとして周期的に前記デジタル記録メディアに繰返し上書きして記録する上書き記録ステップとを有するデジタル記録再生方法において、前記上書き記録ステップが、前記特定放送番組に関して新たに発生した新規上書き記録ストリームを前記デジタル記録メディア上の記録領域に上書き記録する際に、当該新規上書き記録ストリームを記録した前記デジタル記録メディア上の前記記録領域の格納位置情報と共に、当該新規上書き記録ストリームが上書き記録可能な状態であることを示す上書き識別子と、当該新規上書き記録ストリームが未視聴の状態にあることを示す未視聴識別子とを設定して登録する上書き記録管理ステップと、上書き記録された前記上書き記録ストリームを再生した際に、前記未視聴識別子を未視聴の状態から視聴済みを示す状態に変更して登録する変更登録ステップとを有し、前記特定放送番組に関して新たに発生した新規上書き記録ストリームを上書き記録する際に、既に上書き記録されている前記上書き記録ストリームの前記未視聴識別子が未視聴の状態にある場合には、前記上書き記録ストリームに前記新規上書き記録ストリームを上書きせずに、既に上書き記録されている前記上書き記録ストリームの前記上書き識別子を上書き記録しない状態に変更して登録し直すことにより、上書き記録された上書き記録ストリームから通常の記録動作により記録された通常記録ストリームに変更すると共に、前記未視聴識別子を未視聴の状態のまま、前記デジタル記録メディアに継続して保存し、更に、上書き記録すべき前記新規上書き記録ストリームを、当該新規上書き記録ストリームの前記上書き識別子を上書き記録可能な状態を示す状態に設定すると共に、当該新規上書き記録ストリームの前記未視聴識別子を未視聴の状態に設定して、新たに確保した前記デジタル記録メディアの記録領域に記録することを特徴とするデジタル記録再生方法。
【請求項１１】
請求項１０に記載のデジタル記録再生方法において、前記新規上書き記録ストリームの上書き記録が実行される際に、既に上書き記録されている前記上書き記録ストリームの前記未視聴識別子が未視聴の状態にある場合に、前記上書き識別子を上書き記録しない状態に変更して登録し直す代わりに、当該上書き記録ストリームが、前記デジタル記録メディアに過去記録された際に上書き記録可能な上書き記録ストリームとして記録されていたことを示す上書き履歴情報として、通常の記録動作により記録された通常記録ストリームとの識別が可能な上書き保存識別子を付加した状態にして、前記未視聴識別子を未視聴の状態のまま、当該上書き記録ストリームに前記新規上書き記録ストリームを上書きせずに、前記デジタル記録メディアに継続して保存することとし、前記上書き履歴情報が付加されている当該上書き記録ストリームが再生されて、前記未視聴識別子が視聴済みの状態に変更された場合に、当該上書き記録ストリームを自動的に消去する、又は、新たな記録を行なう際に自動的に消去可能な記録ストリームであることを識別可能な情報を付加することを特徴とするデジタル記録再生方法。
【請求項１２】
請求項１１に記載のデジタル記録再生方法において、前記上書き履歴情報が付加されている上書き記録ストリームが再生されて、前記未視聴識別子が視聴済みの状態に変更された場合に、当該記録ストリームを自動的に消去することを可能とするか否かを、当該上書き記録ストリームに該当する前記特定放送番組毎に、ユーザが予め設定して登録していることを特徴とするデジタル記録再生方法。
【請求項１３】
請求項１１又は１２に記載のデジタル記録再生方法において、前記デジタル記録メディアにおいて記録ストリームを記録可能な空き記録領域の容量を管理する空き容量管理ステップと、新たに発生した新規記録ストリームにより使用される使用記録容量を予測する使用容量予測ステップとを有し、新たに上書き記録予約が実行される際に、記録可能な前記空き記録領域の容量と新たに上書き記録すべき新規上書き記録ストリームにより使用されると予測される使用記録容量とを比較し、前記新規上書き記録ストリームを記録可能な空き記録領域が不足している場合においては、過去に上書き記録可能な上書き記録ストリームとして記録されていたことを示す前記上書き履歴情報が付加されている１個又は複数個の上書き記録ストリーム群の中から、記録日時が最も古い上書き記録ストリーム又は古い順番に順次上書き記録ストリームを自動的に消去して、前記新規上書き記録ストリームを記録可能な空き記録領域として確保し、前記新規上書き記録ストリームを記録することを特徴とするデジタル記録再生方法。
【請求項１４】
請求項１３に記載のデジタル記録再生方法において、新たに上書き記録予約が実行される際に、新たに発生した新規上書き記録ストリームを記録可能な空き記録領域が不足している場合、過去に上書き記録可能な上書き記録ストリームとして記録されていたことを示す前記上書き履歴情報が付加されている１個又は複数個の上書き記録ストリーム群の中からいずれか記録日時が最も古い上書き記録ストリーム又は古い順番に順次上書き記録ストリームを自動的に消去することを可能とするか否かを、当該上書き記録ストリームに該当する前記特定放送番組毎に、ユーザが予め設定して登録していることを特徴とするデジタル記録再生方法。
【発明の詳細な説明】
【０００１】
【発明の属する技術分野】
本発明は、デジタルデータの記録、再生及び消去を行なうデジタル記録再生装置及びデジタル記録再生方法に関し、特に、ランダムアクセス可能なデジタル記録メディアを備えて、例えば、予約したテレビジョン放送信号をデジタルデータとして、繰り返し周期的に前記デジタル記録メディアに予約記録を行なうデジタル記録再生装置及びデジタル記録再生方法に関する。
【０００２】
【従来の技術】
テレビジョン放送等の映像信号を記録する記録再生装置としては、放送信号をデジタル信号形式のデータストリームとして扱って、ハードディスクＨＤＤ（Ｈａｒｄ  Ｄｉｓｋ  Ｄｒｉｖｅ）やデジタル多用途ディスクＤＶＤ（Ｄｉｇｉｔａｌ  Ｖｅｒｓａｔｉｌｅ  Ｄｉｓｋ）等のごときランダムアクセス可能なデジタル記録メディアに記録ストリーム（記録放送番組）として記録するデジタル記録再生装置が提案されている。かくのごときデジタル記録再生装置の中には、デジタル記録メディアとしてＨＤＤを用いると共に、ＨＤＤのランダムアクセス性を利用して、例えば、毎週同じ放送時間帯に放送されている連続番組や毎日同じ放送時間帯に放送されるニュースや帯放送番組等について予約記録の登録を予め行なうことにより、かかる放送番組に関するデータストリームを前記ＨＤＤ上の同一記憶領域に上書き記録ストリームとして自動的に繰返し上書き記録する上書き記録機能を有しているデジタル記録再生装置が知られている（例えば、特許文献１を参照）。また、保存期間を過ぎた記録ストリームあるいは視聴済みの記録ストリームを自動的に消去して、使用済み記録領域を新たなデータストリームを記録可能な空き領域として開放する機能を有しているものも提案されている（例えば、特許文献２を参照）。
【０００３】
【特許文献１】
特開２００１−１６７４９１号公報（第１３−第１４頁、図１１）
【特許文献２】
特開２００２−１６５１６２号公報（第６−第７頁、図４）
【０００４】
【発明が解決しようとする課題】
しかしながら、毎週又は毎日等の同じ放送時間帯に放送されている放送番組に関するデータストリームを、デジタル記録メディアの同一記憶領域に上書き記録ストリームとして自動的に繰返し上書き記録する場合においては、たとえ上書き記録されている上書き記録ストリーム（上書き記録放送番組）をユーザが未視聴の状態にあったとしても、上書き記録予約された放送番組の次回の放送開始時刻に到達すると、自動的に記録済みの上書き記録ストリーム上に上書き記録されてしまい、ユーザは、上書き記録された最新の上書き記録ストリーム（上書き記録放送番組）しか再生視聴することができず、例えば、放送番組の内容に連続性がある帯放送番組である場合に、途中の放送内容を見落としてしまうことが生じる。
【０００５】
また、かかる問題を回避するために、毎週又は毎日、繰返される放送番組のデータストリームを上書き記録ストリームとしてデジタル記録メディアの同一領域に自動的に上書き記録することをせずに、毎回の予約記録の登録をユーザが個別に行なうことにした場合、放送番組の予約をその都度通常の記録予約として毎回設定しなければならなくなるという負担がユーザに生じてしまうのみならず、毎回の放送番組のデータストリームを通常記録ストリームとして個別に記録するために、デジタル記録メディアの記録データ量が増加して、デジタル記録メディアの記憶容量をより多く必要とすると共に、視聴済みの記録ストリーム（視聴済み記録放送番組）をデジタル記録メディアから消去するためのユーザの作業が増加してしまう恐れも発生する。
【０００６】
本発明は、かかる事情を鑑みてなされたものであり、予約記録すべき放送番組の次回の放送開始時刻に到達した際に、デジタル記録メディアの同一記録領域に既に上書き記録されている上書き記録ストリーム（上書き記録放送番組）がユーザによりまだ視聴されていない状態にある場合には、かかる未視聴の上書き記録ストリーム（未視聴上書き記録放送番組）を上書きされないような状態に変更して保存し直すと共に、なおかつ、予約記録すべき次回の放送開始時刻に到達している放送番組のデータストリームを上書き可能な新規上書き記録ストリーム（新規上書き記録放送番組）として記録する動作を実行することを可能にせんとするものである。更に、デジタル記録メディアに保存されている未視聴の上書き記録ストリームがユーザにより視聴された際には、自動的に消去することを可能にせんとするものである。
【０００７】
【課題を解決するための手段】
第１の技術手段は、受信した放送信号のデジタル信号形式のデータストリームを記録ストリームとしてランダムアクセス可能なデジタル記録メディアに記録及び再生する記録再生手段と、現在時刻を計時する計時手段と、特定放送番組を周期的に繰返して記録することを予め予約する繰返し記録予約手段と、該繰返し記録予約手段により繰返し記録予約がなされた前記特定放送番組の放送年月日、放送開始時刻、放送終了時刻と、前記計時手段にて計時される現在時刻とに基づいて、前記記録再生手段により前記特定放送番組に関する放送信号のデジタル信号形式のデータストリームを上書き記録ストリームとして周期的に前記デジタル記録メディアに繰返し上書きして記録する上書き記録手段とを有するデジタル記録再生装置において、前記上書き記録手段が、前記特定放送番組に関して新たに発生した新規上書き記録ストリームを前記デジタル記録メディア上の記録領域に上書き記録する際に、当該新規上書き記録ストリームを記録した前記デジタル記録メディア上の前記記録領域の格納位置情報と共に、当該新規上書き記録ストリームが上書き記録可能な状態であることを示す上書き識別子と、当該新規上書き記録ストリームが未視聴の状態にあることを示す未視聴識別子とを設定して登録する上書き記録管理手段と、上書き記録された前記上書き記録ストリームを再生した際に、前記未視聴識別子を未視聴の状態から視聴済みを示す状態に変更して登録する変更登録手段とを有し、前記特定放送番組に関して新たに発生した新規上書き記録ストリームを上書き記録する際に、既に上書き記録されている前記上書き記録ストリームの前記未視聴識別子が未視聴の状態にある場合には、前記上書き記録ストリームに前記新規上書き記録ストリームを上書きせずに、既に上書き記録されている前記上書き記録ストリームの前記上書き識別子を上書き記録しない状態に変更して登録し直すことにより、上書き記録された上書き記録ストリームから通常の記録動作により記録された通常記録ストリームに変更すると共に、前記未視聴識別子を未視聴の状態のまま、前記デジタル記録メディアに継続して保存し、更に、上書き記録すべき前記新規上書き記録ストリームを、当該新規上書き記録ストリームの前記上書き識別子を上書き記録可能な状態を示す状態に設定すると共に、当該新規上書き記録ストリームの前記未視聴識別子を未視聴の状態に設定して、新たに確保した前記デジタル記録メディアの記録領域に記録するデジタル記録再生装置とすることを特徴とするものである。
【０００８】
第２の技術手段は、前記第１の技術手段に記載のデジタル記録再生装置において、前記新規上書き記録ストリームの上書き記録が実行される際に、既に上書き記録されている前記上書き記録ストリームの前記未視聴識別子が未視聴の状態にある場合に、前記上書き識別子を上書き記録しない状態に変更して登録し直す代わりに、当該上書き記録ストリームが、前記デジタル記録メディアに過去記録された際に上書き記録可能な上書き記録ストリームとして記録されていたことを示す上書き履歴情報として、通常の記録動作により記録された通常記録ストリームとの識別が可能な上書き保存識別子を付加した状態にして、前記未視聴識別子を未視聴の状態のまま、当該上書き記録ストリームに前記新規上書き記録ストリームを上書きせずに、前記デジタル記録メディアに継続して保存することとし、前記上書き履歴情報が付加されている当該上書き記録ストリームが再生されて、前記未視聴識別子が視聴済みの状態に変更された場合に、当該上書き記録ストリームを自動的に消去する、又は、新たな記録を行なう際に自動的に消去可能な記録ストリームであることを識別可能な情報を付加するデジタル記録再生装置とすることを特徴とするものである。
【０００９】
第３の技術手段は、前記第２の技術手段に記載のデジタル記録再生装置において、前記デジタル記録メディアに過去記録された際に上書き記録可能な上書き記録ストリームとして記録されていたことを示す前記上書き履歴情報として、通常の記録動作により記録された通常記録ストリームとの識別を可能とする前記上書き保存識別子を付加する代わりに、上書き記録された当該上書き記録ストリームに該当する特定放送番組を特定することができる番組識別番号を付加するデジタル記録再生装置とすることを特徴とするものである。
【００１０】
第４の技術手段は、前記第２の技術手段に記載のデジタル記録再生装置において、前記デジタル記録メディアに過去記録された際に上書き記録可能な上書き記録ストリームとして記録されていたことを示す前記上書き履歴情報として、通常の記録動作により記録された通常記録ストリームとの識別を可能とする前記上書き保存識別子を付加する代わりに、上書き記録された当該上書き記録ストリームに該当する特定放送番組を特定することができ、かつ、上書き記録された順序を識別することができる記録順序情報を付加するデジタル記録再生装置とすることを特徴とするものである。
【００１１】
第５の技術手段は、前記第２乃至第４の技術手段のいずれかに記載のデジタル記録再生装置において、前記上書き履歴情報が付加されている上書き記録ストリームが再生されて、前記未視聴識別子が視聴済みの状態に変更された場合に、当該記録ストリームを自動的に消去することを可能とするか否かを、当該上書き記録ストリームに該当する前記特定放送番組毎に、ユーザが予め設定して登録しているデジタル記録再生装置とすることを特徴とするものである。
【００１２】
第６の技術手段は、前記第２乃至第５の技術手段のいずれかに記載のデジタル記録再生装置において、前記デジタル記録メディアにおいて記録ストリームを記録可能な空き記録領域の容量を管理する空き容量管理手段と、新たに発生した新規記録ストリームにより使用される使用記録容量を予測する使用容量予測手段とを有し、新たに上書き記録予約が実行される際に、記録可能な前記空き記録領域の容量と新たに上書き記録すべき新規上書き記録ストリームにより使用されると予測される使用記録容量とを比較し、前記新規上書き記録ストリームを記録可能な空き記録領域が不足している場合においては、過去に上書き記録可能な上書き記録ストリームとして記録されていたことを示す前記上書き履歴情報が付加されている１個又は複数個の上書き記録ストリーム群の中から、記録日時が最も古い上書き記録ストリームを自動的に消去して、前記新規上書き記録ストリームを記録可能な空き記録領域として確保し、前記新規上書き記録ストリームを記録するデジタル記録再生装置とすることを特徴とするものである。
【００１３】
第７の技術手段は、前記第６の技術手段に記載のデジタル記録再生装置において、新たに上書き記録予約が実行される際に、新たに発生した新規上書き記録ストリームを記録可能な空き記録領域が不足している場合、過去に上書き記録可能な上書きストリームとして記録されていたことを示す前記上書き履歴情報が付加されている１個又は複数個の上書き記録ストリーム群の中から、自動的に消去する記録日時が最も古い上書き記録ストリームを選択する際に、新たに発生した前記新規上書き記録ストリームに該当する特定放送番組に関する上書き記録ストリームの中から、記録日時が最も古い上書き記録ストリームを選択するデジタル記録再生装置とすることを特徴とするものである。
【００１４】
第８の技術手段は、前記第６又は第７の技術手段に記載のデジタル記録再生装置において、新たに上書き記録予約が実行される際に、新たに発生した新規上書き記録ストリームを記録可能な空き記録領域が不足している場合、過去に上書き記録可能な上書き記録ストリームとして記録されていたことを示す前記上書き履歴情報が付加されている１個又は複数個の上書き記録ストリーム群の中から、記録日時が古い上書き記録ストリームの順番に、各当該上書き記録ストリームが使用している使用済み記録容量を、順次累積して、前記新規上書き記録ストリームが使用すると予測される使用記録容量と比較し、前記新規上書き記録ストリームの前記使用記録容量以上の前記使用済み記録容量が累積されるまでの各前記上書き記録ストリームを自動的に消去して、前記新規上書き記録ストリームを記録可能な空き記録領域として確保し、前記新規上書き記録ストリームを記録するデジタル記録再生装置とすることを特徴とするものである。
【００１５】
第９の技術手段は、前記第６乃至第８の技術手段のいずれかに記載のデジタル記録再生装置において、新たに上書き記録予約が実行される際に、新たに発生した新規上書き記録ストリームを記録可能な空き記録領域が不足している場合、過去に上書き記録可能な上書き記録ストリームとして記録されていたことを示す前記上書き履歴情報が付加されている１個又は複数個の上書き記録ストリーム群の中からいずれか記録日時が最も古い上書き記録ストリーム又は古い順番に順次上書き記録ストリームを自動的に消去することを可能とするか否かを、当該上書き記録ストリームに該当する前記特定放送番組毎に、ユーザが予め設定して登録しているデジタル記録再生装置とすることを特徴とするものである。
【００１６】
第１０の技術手段は、受信した放送信号のデジタル信号形式のデータストリームを記録ストリームとしてランダムアクセス可能なデジタル記録メディアに記録及び再生する記録再生ステップと、現在時刻を計時する計時ステップと、特定放送番組を周期的に繰返して記録することを予め予約する繰返し記録予約ステップと、該繰返し記録予約ステップにより繰返し記録予約がなされた前記特定放送番組の放送年月日、放送開始時刻、放送終了時刻と、前記計時ステップにて計時される現在時刻とに基づいて、前記記録再生ステップにより前記特定放送番組に関する放送信号のデジタル信号形式のデータストリームを上書き記録ストリームとして周期的に前記デジタル記録メディアに繰返し上書きして記録する上書き記録ステップとを有するデジタル記録再生方法において、前記上書き記録ステップが、前記特定放送番組に関して新たに発生した新規上書き記録ストリームを前記デジタル記録メディア上の記録領域に上書き記録する際に、当該新規上書き記録ストリームを記録した前記デジタル記録メディア上の前記記録領域の格納位置情報と共に、当該新規上書き記録ストリームが上書き記録可能な状態であることを示す上書き識別子と、当該新規上書き記録ストリームが未視聴の状態にあることを示す未視聴識別子とを設定して登録する上書き記録管理ステップと、上書き記録された前記上書き記録ストリームを再生した際に、前記未視聴識別子を未視聴の状態から視聴済みを示す状態に変更して登録する変更登録ステップとを有し、前記特定放送番組に関して新たに発生した新規上書き記録ストリームを上書き記録する際に、既に上書き記録されている前記上書き記録ストリームの前記未視聴識別子が未視聴の状態にある場合には、前記上書き記録ストリームに前記新規上書き記録ストリームを上書きせずに、既に上書き記録されている前記上書き記録ストリームの前記上書き識別子を上書き記録しない状態に変更して登録し直すことにより、上書き記録された上書き記録ストリームから通常の記録動作により記録された通常記録ストリームに変更すると共に、前記未視聴識別子を未視聴の状態のまま、前記デジタル記録メディアに継続して保存し、更に、上書き記録すべき前記新規上書き記録ストリームを、当該新規上書き記録ストリームの前記上書き識別子を上書き記録可能な状態を示す状態に設定すると共に、当該新規上書き記録ストリームの前記未視聴識別子を未視聴の状態に設定して、新たに確保した前記デジタル記録メディアの記録領域に記録するデジタル記録再生方法とすることを特徴とするものである。
【００１７】
第１１の技術手段は、前記第１０の技術手段に記載のデジタル記録再生方法において、前記新規上書き記録ストリームの上書き記録が実行される際に、既に上書き記録されている前記上書き記録ストリームの前記未視聴識別子が未視聴の状態にある場合に、前記上書き識別子を上書き記録しない状態に変更して登録し直す代わりに、当該上書き記録ストリームが、前記デジタル記録メディアに過去記録された際に上書き記録可能な上書き記録ストリームとして記録されていたことを示す上書き履歴情報として、通常の記録動作により記録された通常記録ストリームとの識別が可能な上書き保存識別子を付加した状態にして、前記未視聴識別子を未視聴の状態のまま、当該上書き記録ストリームに前記新規上書き記録ストリームを上書きせずに、前記デジタル記録メディアに継続して保存することとし、前記上書き履歴情報が付加されている当該上書き記録ストリームが再生されて、前記未視聴識別子が視聴済みの状態に変更された場合に、当該上書き記録ストリームを自動的に消去する、又は、新たな記録を行なう際に自動的に消去可能な記録ストリームであることを識別可能な情報を付加するデジタル記録再生方法とすることを特徴とするものである。
【００１８】
第１２の技術手段は、前記第１１の技術手段に記載のデジタル記録再生方法において、前記上書き履歴情報が付加されている上書き記録ストリームが再生されて、前記未視聴識別子が視聴済みの状態に変更された場合に、当該記録ストリームを自動的に消去することを可能とするか否かを、当該上書き記録ストリームに該当する前記特定放送番組毎に、ユーザが予め設定して登録しているデジタル記録再生方法とすることを特徴とするものである。
【００１９】
第１３の技術手段は、前記第１１又は第１２の技術手段に記載のデジタル記録再生方法において、前記デジタル記録メディアにおいて記録ストリームを記録可能な空き記録領域の容量を管理する空き容量管理ステップと、新たに発生した新規記録ストリームにより使用される使用記録容量を予測する使用容量予測ステップとを有し、新たに上書き記録予約が実行される際に、記録可能な前記空き記録領域の容量と新たに上書き記録すべき新規上書き記録ストリームにより使用されると予測される使用記録容量とを比較し、前記新規上書き記録ストリームを記録可能な空き記録領域が不足している場合においては、過去に上書き記録可能な上書き記録ストリームとして記録されていたことを示す前記上書き履歴情報が付加されている１個又は複数個の上書き記録ストリーム群の中から、記録日時が最も古い上書き記録ストリーム又は古い順番に順次上書き記録ストリームを自動的に消去して、前記新規上書き記録ストリームを記録可能な空き記録領域として確保し、前記新規上書き記録ストリームを記録するデジタル記録再生方法とすることを特徴とするものである。
【００２０】
第１４の技術手段は、前記第１３の技術手段に記載のデジタル記録再生方法において、新たに上書き記録予約が実行される際に、新たに発生した新規上書き記録ストリームを記録可能な空き記録領域が不足している場合、過去に上書き記録可能な上書き記録ストリームとして記録されていたことを示す前記上書き履歴情報が付加されている１個又は複数個の上書き記録ストリーム群の中からいずれか記録日時が最も古い上書き記録ストリーム又は古い順番に順次上書き記録ストリームを自動的に消去することを可能とするか否かを、当該上書き記録ストリームに該当する前記特定放送番組毎に、ユーザが予め設定して登録しているデジタル記録再生方法とすることを特徴とするものである。
【００２１】
【発明の実施の形態】
本発明に係るデジタル記録再生装置及びデジタル記録再生方法に関する実施形態について、図を参照しながら、以下に説明する。
図１は、本発明に係るデジタル記録再生装置の構成の一実施例を示すブロック構成図である。
図１において、１は、ＢＳデジタル放送を受信するＢＳデジタルアンテナ、２は、ＢＳデジタルチューナを含むＢＳ受信部、３は、ＮＴＳＣ方式アンテナ、４は、チューナを含むＮＴＳＣ受信部、５は、受信したＮＴＳＣ信号をＭＰＥＧ２トランスポートストリーム（ＭＰＥＧ２  Ｔｒａｎｓｐｏｒｔ  Ｓｔｅｒａｍ：以下、ＴＳと略記する）データに圧縮符号化するＭＰＥＧ２エンコーダである。
【００２２】
また、６は、受信したＢＳデジタルのＴＳデータと、受信したＮＴＳＣ信号をＭＰＥＧ２エンコーダ５により変換した変換ＴＳデータとを切り替える信号スイッチであり、７は、信号スイッチ６により切り替えられたＢＳデジタル放送のＴＳデータとＮＴＳＣ方式の変換ＴＳデータとのいずれかを通常の記録動作である通常記録ストリーム（通常記録放送番組）又は上書き可能な上書き記録ストリーム（上書き記録放送番組）として記録するデジタル記録メディア例えばハードディスクＨＤＤ（Ｈａｒｄ  Ｄｉｓｋ  Ｄｒｉｖｅ：以下、ＨＤＤと略記する）である。８は、受信したＴＳデータをＨＤＤ７上に記録する記録ストリーム（通常記録ストリーム又は上書き記録ストリーム）として生成すると共に、ＨＤＤ７上に記録された記録ストリームの管理を行なうストリーム管理部＆ＨＤＤ制御部であり、ＨＤＤ７上の記録領域への記録状況を登録管理している記録管理テーブル８Ａ（詳細は後述する）に基づいて、ＨＤＤ７上への記録ストリーム（通常記録ストリーム又は上書き記録ストリーム）の記録及び再生、更に、ＨＤＤ７上に記録されている記録ストリーム（通常記録ストリーム又は上書き記録ストリーム）の消去やＨＤＤ７の空き記録容量の管理を行なうものである。
【００２３】
９は、現在時刻を計時し管理する計時部を備え、受信したＢＳデジタル放送の電子番組表ＥＰＧ（Ｅｌｅｃｔｒｏｎｉｃ  Ｐｒｏｇｒａｍ  Ｇｕｉｄｅ：以下、ＥＰＧと略記する）に基づくユーザからのＢＳ放送番組の記録予約指示あるいは受信するＮＴＳＣ方式の放送番組に関するユーザからの記録予約指示を処理し、予約記録すべき放送番組に関する予約種別、放送年月日、放送曜日、放送開始時刻、放送終了時刻、該放送番組の放送チャンネル等を予約管理テーブル９Ａ（詳細は後述する）に登録記憶して、予約記録するための動作を制御すると共に、予約記録すべき放送時間帯に到達した際に、ＢＳ受信部２又はＮＴＳＣ受信部４に対する選局情報や、ストリーム管理部＆ＨＤＤ制御部８に対するＨＤＤ７上への記録制御用の各種情報を出力することなどを含め、デジタル記録再生装置１００全体の制御を行なう予約処理部＆システム制御部である。
【００２４】
１０は、ＢＳ受信部２にて受信されたＴＳデータ又はＮＴＳＣ受信部４にて受信されて変換されたＴＳデータ、あるいは、ＨＤＤ７に記録ストリーム（通常記録ストリーム又は上書き記録ストリーム）として記録されているＴＳデータを視聴可能な放送信号に復号するためのＭＰＥＧ２デコーダであり、１１は、復号された放送信号をモニタ等へ出力するための処理を行なう表示部である。
【００２５】
なお、図１に示すデジタル記録再生装置１００に備えられているランダムアクセス可能なデジタル記録メディアとしては、ＨＤＤ７以外にも、例えばデジタル多用途ディスクＤＶＤ（Ｄｉｇｉｔａｌ  Ｖｅｒｓａｔｉｌｅ  Ｄｉｓｋ）等も考えられるが、本実施例においては、ＨＤＤ７が備えられているものとする。
【００２６】
また、当該デジタル記録再生装置１００にて受信されるテレビジョン放送としては、デジタル衛星放送のＢＳデジタル放送とＮＴＳＣ方式のアナログ地上波放送とを対象としている場合を示している。即ち、ＢＳデジタルアンテナ１を介してＢＳ受信部２によりＭＰＥＧ２トランスポートストリームデータ（ＴＳデータ）として受信されるＢＳデジタル放送の放送番組に関する放送信号は、そのまま、記録ストリームとされてＨＤＤ７上の記録領域に記録され、一方、ＮＴＳＣ方式アンテナ３を介してＮＴＳＣ受信部４により受信されるアナログ信号形式の放送番組に関する放送信号は、ＭＰＥＧ２エンコーダ５によりＭＰＥＧ２トランスポートストリームデータ（ＴＳデータ）に圧縮符号化された後、記録ストリームとされてＨＤＤ７上の記録領域に記録される。しかしながら、本発明は、かかる場合のみに限定されるものではなく、例えば、ＣＳデジタル放送の放送形態やＣＡＴＶ回線を介して受信される放送形態であっても良いし、放送形態を特定するものではなく、また、受信可能な放送形態の個数を特定するものでもない。
【００２７】
また、予約処理部＆システム制御部９にて制御される番組予約記録のための予約機能としては、前述のごとく、ユーザがデジタルＢＳ放送のＥＰＧやインターネットなどを介して受信されるＥＰＧを利用して記録予約を行なうことも、又は、ユーザが独自に記録予約を行なうことも可能であり、デジタル記録再生装置１００に備えられている計時部（即ち、時計機能）を用いて、予約記録された放送時間帯を指定して記録動作が起動されることとしている。ここに、予約処理部＆システム制御部９には、特定放送番組を周期的に繰返して記録することを予め予約する繰返し記録予約部９ａが用意されており、放送番組のＨＤＤ７上への記録予約登録状況は、繰返し上書き記録の場合も含め、図２に示すごとき予約管理テーブル９Ａに登録記憶されて管理されている。即ち、図２は、放送番組の予約状況を登録管理する予約管理テーブル９Ａの一例を示すメモリ構成図であり、予約処理部＆システム制御部９により管理される。
【００２８】
図２に示すように、予約管理テーブル９Ａは、記録予約すべき放送番組に関する予約種別、放送年月日、放送曜日、放送開始時刻、放送終了時刻、該放送番組の放送チャンネル及びＩＤ番号（ＩＤ番号の詳細は後述する）から構成されている。ここで、予約種別は、毎日、毎週、毎月、毎年などのごとく繰返して記録する上書き記録動作を指定したり、指定した特定の年月日のみで記録動作を行なう通常記録動作を指定したりする予約記録動作を識別する情報である。
【００２９】
一方、受信した放送信号のデジタル信号形式のデータストリームを記録ストリームとしてランダムアクセス可能なＨＤＤ７に記録及び再生する記録再生手段を提供しているストリーム管理部＆ＨＤＤ制御部８には、記録予約された放送番組に関する放送信号のデータストリームを通常記録ストリームとしてＨＤＤ７上へ記録動作を行なう通常記録部のみならず、特定放送番組に関する放送信号のデジタル信号形式のデータストリームを上書き記録ストリームとして周期的にＨＤＤ７上に繰返し上書きして記録する上書き記録部８ａが用意されている。
【００３０】
更に、該上書き記録部８ａには、予約登録されている特定放送番組に関して新たに発生した新規上書き記録ストリームをＨＤＤ７上に上書き記録する際に、ＨＤＤ７上の記録領域の格納位置情報と共に、上書き記録可能な状態であることを示す上書き識別子と、当該新規上書き記録ストリームが未視聴の状態にあることを示す未視聴識別子とを設定して記録管理テーブル８Ａに登録する上書き記録管理部８ａ１と、上書き記録された前記上書き記録ストリームを再生した際に、記録管理テーブル８Ａに登録されている未視聴識別子を前記未視聴識別子を未視聴の状態から視聴済みを示す状態に変更して記録管理テーブル８Ａに登録し直す変更登録部８ａ２とが用意されている。
【００３１】
即ち、通常記録動作のみならず繰返し上書き記録動作によるＨＤＤ７への記録ストリーム（通常記録ストリームや上書き記録ストリーム）の記録状況は、図３に示すごとき記録管理テーブル８Ａに登録記憶されて管理されている。図３は、放送番組に関する記録ストリームのＨＤＤ７への記録状況を登録管理する記録管理テーブル８Ａの一例を示すメモリ構成図であり、ストリーム管理部＆ＨＤＤ制御部８により管理される。
図３に示すように、記録管理テーブル８Ａは、ＩＤ番号、記録領域格納位置情報、上書き制御情報（即ち、上書き識別子及び上書き保存識別子）、未視聴識別子及び予約番号からなる記録管理情報から構成されている。
【００３２】
ここで、ＩＤ番号は、ＨＤＤ７に記録される記録ストリームを識別するための識別番号であり、予約処理部＆システム制御部９が管理している予約管理テーブル９Ａに予約登録されている放送番組を識別することができる。また、予約番号は、予約管理テーブル９Ａの登録位置を索引することができる番号であり、ストリーム管理部＆ＨＤＤ制御部８からも、予約管理テーブル９Ａの予約種別を検索することができ、繰返し上書き記録の要求がある予約放送番組であるか否かを該予約種別に基づいて識別することが可能である。上書き制御情報（上書き記録可能な状態にあることを示す上書き識別子、及び、過去に上書き記録されたという上書き履歴情報を示す上書き保存識別子）、及び、まだ未視聴の状態にあることを示す未視聴識別子については、ＨＤＤ７への上書き記録の際の動作を制御するためのものであり、詳細は後述する。
【００３３】
なお、ストリーム管理部＆ＨＤＤ制御部８には、記録ストリームを記録するＨＤＤ７上の記録領域を管理するＨＤＤ記録領域管理部８ｂとして、記録ストリームを記録可能な空き記録領域の容量を管理する空き容量管理部８ｂ１と、新たに発生した新規上書き記録ストリームにより使用される使用記録容量を予測する使用容量予測部８ｂ２とが備えられており、記録ストリーム（通常記録ストリームや上書き記録ストリーム）を記録するＨＤＤ７の記録領域に関する空塞状況を管理し、新たな記録ストリームの記録が要求された際に、当該記録領域中の空き領域の中から必要とする記録容量の記録領域を確保して使用中の状態に遷移させる一方、ユーザが視聴済みとなった記録ストリームやユーザが記録不要とする記録ストリームが記録されている記録領域を開放して、空き領域の状態に復帰させるようなＨＤＤ記録領域管理機能も有している。
【００３４】
また、該ＨＤＤ記録領域管理機能の一つとして、ユーザにより予め設定されている動作モードに応じて、新たな記録ストリームを記録させるために必要とする空き領域が確保不可能な状態にある場合には、その旨、ユーザに表示したり、あるいは、記録日時が最も古い上書き記録ストリーム又は古い順番に順次上書き記録ストリームを消去して、当該記録ストリームが記録されていた記録領域を強制的に一旦開放した後、新たな記録ストリームの記録用に割り当てるようにすることも可能である。
【００３５】
即ち、空き容量管理部８ｂ１において把握されているＨＤＤ７上の空き記録領域の記録容量と新たに上書き記録すべき新規上書き記録ストリームにより使用されると予測される使用記録容量（使用容量予測部８ｂ２により予測された使用記録容量）とを比較し、前記新規上書き記録ストリームを記録可能な空き記録領域が不足している場合においては、過去に上書き記録可能な上書き記録ストリームとして記録されていたことを示す上書き履歴情報（例えば、図３に示す上書き保存識別子）が付加されている１個又は複数個の上書き記録ストリーム群の中から、記録日時が最も古い上書き記録ストリームを自動的に消去して、前記新規上書き記録ストリームを記録可能な空き記録領域として確保し、前記新規上書き記録ストリームを記録させることを可能としたり、あるいは、自動的に消去する記録日時が最も古い上書き記録ストリームを選択する際に、新たに発生した前記新規上書き記録ストリームに該当する特定放送番組に関する上書き記録ストリームの中から、記録日時が最も古い上書き記録ストリームを選択して自動的に消去して、前記新規上書き記録ストリームを記録可能な空き記録領域として確保し、前記新規上書き記録ストリームを記録させることを可能としたりすることができる。
【００３６】
更には、過去に上書き記録可能な上書き記録ストリームとして記録されていたことを示す上書き履歴情報が付加されている１個又は複数個の上書き記録ストリーム群の中から、記録日時が古い上書き記録ストリームの順番に、各当該上書き記録ストリームが使用している使用記録容量を、順次累積して、前記新規上書き記録ストリームの使用済み記録容量とを比較し、前記新規上書き記録ストリームの使用記録容量以上の前記使用済み記録容量が累積されるまでの各前記上書き記録ストリームを自動的に消去して、前記新規上書き記録ストリームを記録可能な空き記録領域として確保し、前記新規上書き記録ストリームを記録させることも可能である。
【００３７】
なお、前述のごとく、新たに上書き記録予約が実行される際に、新たに発生した新規上書き記録ストリームを記録可能な空き記録領域が不足している場合、過去に上書き記録可能な上書き記録ストリームとして記録されていたことを示す上書き履歴情報が付加されている１個又は複数個の上書き記録ストリーム群の中からいずれか記録日時が最も古い上書き記録ストリーム又は古い順番に順次上書き記録ストリームを自動的に消去することを可能とするか否かを、当該上書き記録ストリームに該当する前記特定番組毎に、ユーザが予め設定して登録することにより、ユーザが自動的に消去可能な旨を登録している特定放送番組に関する上書き記録ストリームのみを対象として自動的に消去を行なうことも可能としている。
【００３８】
次に、上書き記録を予約した放送番組を上書き記録ストリームとしてＨＤＤ７上に繰返し上書き記録する動作の一例について説明する。
図４は、ＭＰＥＧ２のＴＳデータを記録ストリームとしてＨＤＤ７の記録領域へ記録する際の各記録ストリームの記録領域を模式的に図示した模式図である。ＨＤＤ７上に記録される記録ストリームは、前述したように、ストリーム管理部＆ＨＤＤ制御部８のＨＤＤ記録領域管理部８ｂにより割り当てられたＨＤＤ７上の空き領域に記録されるが、各記録ストリームには、記録ストリームに該当する放送番組を識別可能とするためのストリーム識別番号（Ｓｔｒｅａｍ  Ｉｄｅｎｔｉｆｉｅｒ：以下、ＩＤ番号と略記する）が付されている。即ち、ストリーム管理部＆ＨＤＤ制御部８は、ＩＤ番号の使用／未使用状態を管理し、新たな新規記録ストリームの記録要求が発生した際に、未使用状態にあるＩＤ番号を該新規記録ストリームに割り当てる機能を有している。
【００３９】
ＭＰＥＧ２  ＴＳデータを記録ストリームとしてＨＤＤ７上に記録する要求が発生した際に、ストリーム管理部＆ＨＤＤ制御部８において、ＨＤＤ７上の空き領域を確保して、該空き領域に記録ストリームを記録すると共に、図３の記録管理テーブル８Ａに示すように、該記録ストリームが記録されたＨＤＤ７上の記録領域の位置を示す格納位置情報（記録領域格納位置情報）が、該記録ストリームを識別可能とするために付与されたＩＤ番号と共に、登録記憶されて管理されることとしている。なお、ストリーム管理部＆ＨＤＤ制御部８により付与されたＩＤ番号は、予約処理部＆システム制御部９が管理している予約管理テーブル９Ａ（図２参照）にも、該記録ストリームに該当する当該放送番組に対応付けて登録記憶される。また、予約管理テーブル９Ａを索引するための予約番号についても、記録管理テーブル８Ａ（図３参照）に登録記憶される。而して、予約管理テーブル９Ａと記録管理テーブル８Ａとの双方向索引を可能としている。
【００４０】
ＨＤＤ７はランダムアクセスが可能であるので、図４に示すように、ＩＤ番号がＩＤ−０及びＩＤ−１の記録ストリームのように、ＨＤＤ７上の離れた位置であっても空き領域が確保されれば、ＨＤＤ７上のそれぞれの位置にある記録領域ａ及びｂに記録される。また、ＩＤ番号がＩＤ−２の記録ストリームのように、同一の放送番組のＴＳデータであったとしても、ＨＤＤ７上に点在して存在している空き領域が確保された場合には、記録領域ｃ１及びｃ２に分割して記録させることも可能である。
【００４１】
ここで、例えば、ＩＤ番号がＩＤ−０の記録ストリームが、繰返し上書き記録されるように予約されている予約放送番組に関する上書き記録ストリームであると仮定する。一般的には、繰返し上書きされる上書き記録ストリームとしては、毎日、毎週又は毎月などの同じ放送時間帯（放送開始時刻と放送終了時刻とが同一の時刻）に放送されている放送番組である場合が殆どであり、上書き記録ストリームとして毎回生成される予約放送番組に関するＭＰＥＧ２のＴＳデータのそれぞれのデータ量は略同じになると考えても良く、図４に示すＩＤ番号がＩＤ−０の上書き記録ストリームとして前回記録された記録領域ａと全く同一の位置にある記録領域ａに、次に記録すべきＩＤ−０の上書き記録ストリームも逐次上書き記録されていく。つまり、ＩＤ番号がＩＤ−０の上書き記録すべき予約放送番組に関する次の記録要求が発生した際に、ＩＤ番号がＩＤ−０の記録ストリームが今まで記録されていたＨＤＤ７上の記録領域ａを一旦空き領域に開放して、直ちに同じ記録領域ａに新たに発生したＩＤ−０の新規上書き記録ストリームが記録されるものとしている。
【００４２】
但し、デジタル記録再生装置１００の利用形態によっては、図５に示すＩＤ番号がＩＤ−０の上書き記録ストリームのように、繰返し上書き記録される予約放送番組であっても、例えば、該予約放送番組の放送時間毎の放送内容によって記録すべき記録容量が異なるような場合をも考慮して、前回ＩＤ番号がＩＤ−０の上書き記録ストリームとして上書き記録されていた記録領域ａとは別の空き領域を新規に確保して、確保された記録領域ａ′にＩＤ番号がＩＤ−０の今回の新規上書き記録ストリームを記録して、前回の記録領域ａを空き領域として開放するという方法も可能である。ここに、図５は、予約放送番組としてＨＤＤ７へ上書き記録される上書き記録ストリームの記録領域の確保形態に関する異なる一例を模式的に図示した模式図である。かくのごとく、本発明においては、「繰返し上書き記録する」との表現を用いているとしても、ＨＤＤ７上の異なる領域に記録する場合も可能としており、繰返し上書き記録すべき予約放送番組に関するＨＤＤ７上への上書き記録ストリームの上書き記録形態そのものについては、特に特定するものではない。
【００４３】
なお、ストリーム管理部＆ＨＤＤ制御部８においては、上書き記録されるＩＤ番号がＩＤ−０の上書き記録ストリームがＨＤＤ７上に記録される際に、当該上書き記録ストリームがＨＤＤ７上に記録されると同時に、ＩＤ−０の当該上書き記録ストリームが上書き記録されることが可能であることを示す識別子（以下、上書き識別子と記載する）が、前述したように、ＨＤＤ７上の格納位置情報（記録領域格納位置情報）と共に、図３に示す記録管理テーブル８Ａに登録記憶されて管理される。即ち、最初に記録される新規上書き記録ストリームの場合、上書き識別子をＯＮ状態に設定して、上書き可能な状態として設定登録される。
更に、ストリーム管理部＆ＨＤＤ制御部８においては、ＩＤ番号がＩＤ−０の当該上書き記録ストリームのＨＤＤ７上への記録と同時に、ユーザにより、記録された上書き記録ストリームが再生されて視聴されたか、まだ視聴されていないかを示す識別子（以下、未視聴識別子と記載する）も、前記上書き識別子と同様に、図３に示す記録管理テーブル８Ａに記録されて管理される。即ち、最初に記録される新規上書き記録ストリームの場合、未視聴識別子をＯＮ状態に設定して、ユーザによりまだ視聴されていない状態として設定登録される。
【００４４】
従って、上書き記録の予約をしている予約放送番組のＭＰＥＧ２  ＴＳデータに関して、始めて、新規上書き記録ストリームとして上書き記録が実行された場合には、ストリーム管理部＆ＨＤＤ制御部８において、当該新規上書き記録ストリームを識別するために割り当てられたＩＤ番号に対応する記録管理テーブル８Ａの位置に、記録領域の格納位置情報と共に、前述したように、上書き記録可能であることを示す上書き識別子とユーザが未視聴状態にあることを示す未視聴識別子とを共にＯＮ状態として、登録されて管理される状態になる。
２回目以降の繰返し上書き記録が実行された場合には、ストリーム管理部＆ＨＤＤ制御部８において、記録管理テーブル８Ａに登録されているＩＤ番号、上書き識別子、未視聴識別子の状態がまず確認されることになる。
【００４５】
かかる繰返し上書き記録を行なう際の動作手順について、図６及び図７のフローチャートを用いて説明する。
ここに、図６は、ＨＤＤ７の記録領域に上書き記録する際の動作手順の一例を説明するためのフローチャートであり、記録予約された放送番組に関して始めて記録動作が実行される場合の動作手順を示すものである。また、図７は、ＨＤＤ７の記録領域に上書き記録する際の図６に引き続く残りの部分の動作手順の一例を説明するためのフローチャートであり、２回目以降の繰返し記録動作が実行される場合の動作手順を示すものである。
【００４６】
図６に示すフローチャートが開始されるに先立って、まず、予約管理テーブル９Ａに基づいて、予約処理部＆システム制御部９に備えられている計時部が示す現在時刻が、記録予約が登録されている放送番組の放送開始時刻を達していることを予約処理部＆システム制御部９が検出すると、図１に示すＢＳ受信部２又はＮＴＳＣ受信部４の選局動作を行なうと共に、信号スイッチ６を切り替えて、ＢＳ受信部２又はＭＰＥＧ２エンコーダ５からのＴＳデータをストリーム管理部＆ＨＤＤ制御部８に引き込む。
更に、予約処理部＆システム制御部９は、予約管理テーブル９Ａの予約種別に基づいて、毎日又は毎週又は毎月などにおいて例えば同じ放送時間帯で繰返し記録を要求している繰返し予約であるか確認した後、ストリーム管理部＆ＨＤＤ制御部８に対して、ＢＳ受信部２又はＭＰＥＧ２エンコーダ５からのＴＳデータの予約記録動作の開始を指示する。
【００４７】
また、予約処理部＆システム制御部９がストリーム管理部＆ＨＤＤ制御部８に予約記録動作の開始を指示する際に、前述の繰返し記録要求に関する情報と共に、予約管理テーブル９Ａに既にＩＤ番号が割り当てられて設定されているか否かを確認し、割り当て済みの場合であれば、割り当て済みのＩＤ番号を通知してくる。
ストリーム管理部＆ＨＤＤ制御部８においては、まず、予約処理部＆システム制御部９から割り当て済みのＩＤ番号が通知されてきたか否かを判定する（ステップＳ１）。ＩＤ番号が、ストリーム管理部＆ＨＤＤ制御部８により既に割り当てられて（取得されて）予約管理テーブル９Ａに設定されていた場合（ステップＳ１のＹＥＳ）、当該放送番組に関する２回目以降の繰り返し記録動作に該当しているものと判定して、図７のフローチャートのステップＳ１１に移行する。逆に、ＩＤ番号が設定されていない場合は（ステップＳ１のＮＯ）、当該放送番組に関する最初の記録動作であると判定して、ステップＳ２に移行する。
【００４８】
最初の記録動作である場合、ステップＳ２において、まず、当該放送番組に関するＴＳデータを記録ストリームとして記録するための記録領域をＨＤＤ７上に確保した後（ステップＳ２）、確保されたＨＤＤ７上の記録領域に、ＢＳ受信部２又はＭＰＥＧ２エンコーダ５からのＴＳデータを、記録ストリーム（通常記録ストリーム又は上書き記録ストリーム）として逐次記録していく（ステップＳ３）。更に、ストリーム管理部＆ＨＤＤ制御部８は、当該放送番組に関する記録ストリームを識別するためのＩＤ番号を新たに取得して（ステップＳ４）、予約処理部＆システム制御部９が管理している予約管理テーブル９Ａに設定登録させた後（ステップＳ５）、当該放送番組が、繰返し記録を実行すべき上書き記録の要求がなされているか否かを、予約処理部＆システム制御部９からの情報に基づいて判定する（ステップＳ６）。
【００４９】
当該放送番組が、繰返し記録を実行すべき上書き記録の要求がなされていた場合には（ステップＳ６のＹＥＳ）、上書き記録を実行するための識別子（即ち、上書き記録可能な状態にあることを示す識別子）である上書き識別子をＯＮに設定し（ステップＳ７）、一方、繰返し記録を実行すべき上書き記録の要求はなされていなく、１回だけの通常の記録動作を要求されている場合には（ステップＳ６のＹＥＳ）、上書き識別子をＯＦＦに設定する（ステップＳ８）。
【００５０】
更に、ユーザがＨＤＤ７上に記録された当該放送番組に関する記録ストリームをまだ視聴していないか否かを示す未視聴識別子を、まだ視聴していない状態にあることを示すＯＮの状態に設定する（ステップＳ９）。しかる後に、ストリーム管理部＆ＨＤＤ制御部８は、取得したＩＤ番号が示す記録管理テーブル８Ａの位置に、当該放送番組の記録ストリームを記録したＨＤＤ７上の記録領域の格納位置情報と、ステップＳ７又はＳ８で設定した上書き識別子と、ステップＳ９で設定した未視聴識別子と、予約管理テーブル９Ａを索引するための予約番号とを登録記憶する（ステップＳ１０）。
しかる後において、ユーザが、ＨＤＤ７上に記録されている放送番組に関する記録ストリーム（通常記録ストリーム又は上書き記録ストリーム）を視聴した場合には、当該放送番組に関する記録ストリームのＩＤ番号が示す記録管理テーブル８Ａの未視聴識別子が自動的にＯＮからＯＦＦの状態に設定される。
【００５１】
ここで、未視聴識別子は、ユーザにより視聴された場合には、記録ストリームが記録されているＨＤＤ７上の記録領域を自動的に開放して、視聴済みの記録ストリームを消去する動作を行なうために用いられる識別子であり、ＨＤＤ７上に上書き記録されている上書き記録ストリームの場合においては、図７において後述するように、次に上書き記録すべき新規上書き記録ストリームが生成された際に、前回の上書き記録ストリームがまだ視聴されていない状態（即ち、未視聴識別子がＯＮ状態）にある場合、前記新規上書き記録ストリームを前回の上書き記録ストリームに対して上書き記録する動作を行なうこととせず、新たに確保された記録領域に記録させることとし、前回の上書き記録ストリームが未視聴であるにも関わらず消去されてしまうことを防止するために用いられる。
【００５２】
なお、記録されている記録ストリーム（通常記録ストリーム又は上書記録ストリーム）が再生されて視聴されることにより、未視聴識別子がＯＦＦの状態に切り替わった場合、当該記録ストリーム（通常記録ストリーム又は上書記録ストリーム）が記録されていたＨＤＤ７上の記録領域を空きの状態に自動的に開放して当該記録ストリームを消去し、他の記録ストリームのために使用することを可能とすることも、あるいは、繰返し上書き記録用の記録ストリームであった場合には、上書き可能な状態に自動的に遷移させることも、あるいは、当該記録ストリームを自動消去可能な記録ストリームと識別することができる情報を付加して当該記録ストリーム容量分を新規記録可能容量に追加し、新たに記録を行なう際にＨＤＤ７の記録領域の容量が不足している場合には消去可能とすることも可能である。しかし、かかる自動的な記録領域の開放動作については、予めユーザにより設定登録されている動作モードに応じて実行の可否を制御させるようにしても良い。
【００５３】
次に、ステップＳ１において、予約されている放送番組の記録ストリームが生成された際に、既にＩＤ番号が割り当てられていて（取得されていて）、当該放送番組に関する２回目以降の繰り返し記録動作に該当しているものと判定された場合の記録動作について、図７に示すフローチャートに従って説明する。
なお、かかる場合においては、ストリーム管理部＆ＨＤＤ制御部８が管理している記録管理テーブル８Ａの当該ＩＤ番号が示す位置には、既に当該放送番組に関する記録ストリームの記録管理情報（即ち、記録領域格納位置情報、上書き制御情報の上書き識別子、未視聴識別子及び予約番号）が設定されている状態にある。
従って、予約処理部＆システム制御部９から引き継がれたＩＤ番号が示す放送番組に関する上書き識別子を、記録管理テーブル８Ａから読み出し（ステップＳ１１）、読み出した上書き識別子がＯＮの状態にあるか否かを確認する（ステップＳ１２）。
【００５４】
上書き識別子がＯＦＦの状態に設定されている場合（ステップＳ１２のＮＯ）、繰返し上書き記録を要求する放送番組ではない１回限りの通常記録の放送番組であるにも関わらず、２回目以降の繰返し記録動作を要求するようなエラー状態が発生しているものとみなして、ＨＤＤ７上への記録動作を行なわずに、直ちにエラー終了する。この場合、エラーの発生の旨をユーザに通知することとしても良い。
一方、上書き識別子がＯＮの状態に設定されている場合（ステップＳ１２のＹＥＳ）、繰返し上書き記録を要求する放送番組であるので、前回ＨＤＤ７上の記録領域に記録されていた当該放送番組に関する上書き記録ストリームがユーザによって視聴済みの状態にあるか否かを調べるために、ＩＤ番号が示す上書き記録ストリームに関する未視聴識別子を、記録管理テーブル８Ａから読み出す（ステップＳ１３）。
【００５５】
ここで、ユーザによって既に視聴済みの状態にあって、未視聴識別子がＯＦＦであれば（ステップＳ１４のＮＯ）、ステップＳ２１以降の上書き記録動作に移行して、視聴済みの前回の上書き記録ストリームが記録されている記録領域を開放して今回の新規上書き記録ストリームの上書き記録動作を実行するが、未視聴識別子がＯＮのままの状態にある場合（ステップＳ１４のＹＥＳ）、前回の上書き記録ストリームをそのまま保存する状態に移行させるために、ステップＳ１５以降の動作に移行する。
【００５６】
まず、ステップＳ１５において、前回の上書き記録ストリームを上書き記録されることなく保存可能とするために、通常の記録動作による通常記録ストリームと同じ状態に変更すべく、新たなＩＤ番号を取得する（ステップＳ１５）。しかる後に、まず、前回の上書き記録ストリームに関する記録管理情報（即ち、前回記録されて、未視聴の状態にある上書き記録ストリームに関する記録領域格納位置情報、上書き制御情報の上書き識別子、未視聴識別子及び予約番号）を記録管理テーブル８Ａから読み出し、新たに取得されたＩＤ番号が示す記録管理テーブル８Ａの位置にコピーして移し替える（ステップＳ１６）。更に、上書き記録ストリームから通常記録ストリームに変更するために、コピーされた記録管理情報の中の上書き識別子をＯＦＦに変更する（ステップＳ１７）。而して、新たに取得されたＩＤ番号が付与された前回記録済みの未視聴記録ストリームは上書き記録ストリームから通常記録動作による記録結果と変わらない通常記録ストリームに変更されたこととなり、ユーザにより視聴されない限り、あるいは、ユーザが不要の旨を指示しない限り、消去されることがない状態に設定される。
【００５７】
次に、今回新たに上書き記録すべき新規上書き記録ストリームを記録するための記録領域をＨＤＤ７上に確保した後（ステップＳ１８）、確保されたＨＤＤ７上の記録領域に今回新たに上書き記録すべき新規上書き記録ストリームを逐次記録していく（ステップＳ１９）。しかる後に、ストリーム管理部＆ＨＤＤ制御部８は、前回まで上書き記録用のＩＤ番号として使用されていたＩＤ番号が示す記録管理テーブル８Ａの位置に登録されていた記録領域の格納位置情報を、今回の新規上書き記録ストリームを記録した記録領域の格納位置情報に書き換える（ステップＳ２０）。
【００５８】
なお、ステップＳ２０の動作を実行した後においては、前回まで上書き記録用のＩＤ番号が示す記録管理テーブル８Ａのかかる格納位置情報以外の記録管理情報は、前回までと同じ状態に設定されており、上書き識別子がＯＮ状態、未視聴識別子がＯＮの状態に設定され、予約番号は、当該放送番組の予約番号を示している状態のままとされている。而して、今回新たに記録された新規上書き記録ストリームは、当該放送番組に関する上書き記録ストリーム用として今まで使用されていたＩＤ番号をそのまま用いて、上書きが可能で、かつ、ユーザが未視聴の状態に設定されている。
【００５９】
以上の動作を換言すれば、ステップＳ１４において、前回記録された上書き記録ストリームがユーザによって未視聴の状態にあって、未視聴識別子がＯＮの状態にある場合（ステップＳ１４のＹＥＳ）、即ち、上書き記録すべく予約されている特定放送番組に関して新たに発生した新規上書き記録ストリームを上書き記録する際に、既に上書き記録されている前回の上書き記録ストリームの未視聴識別子が未視聴の状態にある場合には、前記上書き記録ストリームに前記新規上書き記録ストリームを上書きせずに、既に上書き記録されている前記上書き記録ストリームの前記上書き識別子を上書き記録しない状態に変更して登録し直すことにより、上書き記録された上書き記録ストリームから通常の記録動作により記録された通常記録ストリームに変更すると共に、前記未視聴識別子を未視聴の状態のまま、ＨＤＤ７上に継続して保存し、更に、新たに上書き記録すべき前記新規上書き記録ストリームを、当該新規上書き記録ストリームの前記上書き識別子を上書き記録可能な状態を示す状態に設定すると共に、当該新規上書き記録ストリームの前記未視聴識別子を未視聴の状態に設定して、新たに確保したＨＤＤ７上の記録領域に記録するように動作させるものである。
【００６０】
なお、以上の説明においては、既に上書き記録されている前回の上書き記録ストリームのＨＤＤ７上の記録領域をそのままとし、新たに上書き記録すべき新規上書き記録ストリームを記録するＨＤＤ７上の記録領域を新たに確保した記録領域に記録させることとしているが、本発明は、かかる場合のみに限るものではなく、上書き記録ストリームのデータ量如何によっては、逆に、前回の上書き記録ストリームを新たに確保した記録領域に移し、新規上書き記録ストリームを前回の上書き記録ストリームが記録されていた記録領域に記録することとしても構わない。
【００６１】
一方、ステップＳ１４において、前回記録された上書き記録ストリームがユーザによって既に視聴済みの状態にあって、未視聴識別子がＯＦＦの状態に変更設定されていた場合（ステップＳ１４のＮＯ）、前回の上書き記録ストリームを記録していたＨＤＤ７上の記録領域を一旦開放して、今回新たに生成された新規上書き記録ストリームを同一の記録領域に上書き記録させる動作を実行する（ステップＳ２１）。しかる後に、ストリーム管理部＆ＨＤＤ制御部８は、前回の上書き記録用のＩＤ番号として使用されていたＩＤ番号が示す記録管理テーブル８Ａの未視聴識別子を再度ＯＮの状態（即ち、未視聴の状態）に変更して設定する（ステップＳ２２）。
【００６２】
ステップＳ２２の動作を実行した後においては、前回までの上書き記録用のＩＤ番号が示す記録管理テーブル８Ａの位置における未視聴識別子以外の記録管理情報は、前回までと同じ状態に設定されている。即ち、上書き識別子がＯＮ状態に設定されたまま、更に、上書き記録される記録領域の格納位置情報も、前回までと同一の格納位置情報のままであり、予約番号も、当該放送番組の予約番号を示している状態のままとされている。而して、ＨＤＤ７上の同じ記録領域に繰返し上書き記録されていくことが可能となる。
【００６３】
なお、図７に示すステップＳ２１及びＳ２２においては、上書き記録動作として、ＨＤＤ７上の同じ記録領域に繰返し上書き記録する動作について示しているが、かかる「繰返し上書き記録動作」としては、前述したように、必ずしも、同じ記録領域に記録する動作のみに限るものではない。即ち、前回の上書き記録ストリームが記録されている記録領域を開放して、今回の新規上書き記録ストリームを、新たに確保された異なる記録領域に記録させるように動作させることとしても勿論構わない。
【００６４】
次に、図６及び図７のフローチャートにおいて説明した上書き記録動作について、更に異なる視点から、前述した図２の予約管理テーブル９Ａ及び図３の記録管理テーブル８Ａに登録記憶されている各記録管理情報の例に基づいて作成された図８に示す模式図を用いて説明する。ここに、図８は、ＨＤＤ７上の記録領域に上書き記録される上書き記録ストリームの遷移状態の一例を示す模式図であり、上書き記録を予約されている放送番組（図８においては、図２に示す予約管理テーブル９Ａの予約番号「０」として予約されている放送番組）について、図３に示すストリーム管理部＆ＨＤＤ制御部８が管理している記録管理テーブル８Ａの各記録管理情報の生成状態を示している。
【００６５】
なお、図２に示す予約管理テーブル９Ａにおいては、予約番号「０」及び「１」の２つの放送番組について、繰返し記録すべき旨が予約登録され、また、予約番号「２」の放送番組について、通常記録すべき旨が登録されており、更に、それぞれの予約放送番組について記録動作が既に実行されており、ＩＤ番号としてそれぞれＩＤ−０，ＩＤ−１，ＩＤ−２が割り当てられている状態にあることを示している。即ち、ＩＤ−０及びＩＤ−１は、記録周期は異なるものの、繰返し記録の実行が要求されているＩＤ番号であることを示している。
【００６６】
また、図３に示す記録管理テーブル８Ａにおいては、ＩＤ番号がＩＤ−１及びＩＤ−２（即ち、予約番号「１」及び「２」）の放送番組に関しては、既に１回ずつ記録ストリーム（それぞれ上書き記録ストリームと通常記録ストリームとを示す）としてＨＤＤ７上の記録領域ｍ及びｎに記録されている状態にあり、かつ、毎週上書き記録されるＩＤ−１の上書き記録ストリームは既にユーザにより視聴されて未視聴識別子がＯＦＦの状態（即ち、次回の上書き記録ストリームが記録領域ｍに上書き記録可能な状態）にあるが、上書きされて消去されることがない通常記録動作のＩＤ−２の通常記録ストリームに関しては、まだ未視聴の状態にあることを示している。
【００６７】
一方、毎日上書き記録するように予約登録されているＩＤ番号がＩＤ−０（即ち、予約番号「０」）の放送番組は、既に、５回に亘って上書き記録ストリームが記録されている状態（即ち、上書き記録ストリームＡ乃至ＥがそれぞれＨＤＤ７上の記録領域Ａ乃至Ｅに記録されている状態）にあり、そのうち、ＨＤＤ７上の記録領域Ｄに記録された上書き記録ストリームＤのみがユーザにより視聴されて未視聴識別子が一旦ＯＦＦの状態に移行したが、後続する次回の上書き記録ストリームＥ（即ち、最新の上書き記録ストリーム）がＨＤＤ７上の記録領域Ｅに上書き記録されることにより、前回の上書き記録ストリームＤの記録領域Ｄが開放されると共に、ＩＤ−０の未視聴識別子が再度ＯＮ状態に設定されている状態にあることを示している。
【００６８】
ここで、繰返し上書き記録用に割り当てられたＩＤ−０は、最新の上書き記録ストリームに対して割り当てられ、古い上書き記録ストリームは順次新たに取得されたＩＤ番号に付け替えられて（即ち、古い順に、新たに取得されたＩＤ−３，ＩＤ−４，ＩＤ−５が付与されて）登録し直されている。
また、上書き記録ストリームを記録する記録領域としては、説明を判り易くするために、図７のステップＳ２１及びＳ２２に示した場合とは異なり、上書き記録の要求が発生する都度、新たな記録領域を確保すると共に、前回の上書き記録ストリームが記録されていた記録領域を開放する場合を例にとって説明している。
【００６９】
以下に、図２及び図３に示す繰返し記録が要求されているＩＤ番号がＩＤ−０の放送番組に関する上書き記録ストリームをＨＤＤ７上に繰返し記録していく動作状況について、図８に示す繰返し上書き用の上書き記録ストリームＡ乃至Ｅの遷移状態を用いて説明する。
図８において、符号２０乃至２４は、ＩＤ番号がＩＤ−０の上書き記録ストリームの遷移過程を時系列的に表示する遷移状態番号を示している。まず、遷移状態番号２０は、既に、ＨＤＤ７上の記録領域Ａに、最初の上書き記録ストリームＡが、上書き識別子がＯＮ、未視聴識別子がＯＮの状態で、取得されたＩＤ番号がＩＤ−０として記録されている状態を示し、かかる状態において、次回のＩＤ−０の上書き記録ストリームＢの上書き記録要求が発生している状態を示している。
【００７０】
遷移状態番号２０の段階においては、記録領域Ａに記録されている上書き記録ストリームＡはユーザによってまだ視聴されていない状態にあるため、たとえ、上書き記録ストリームＡが上書き記録用として記録領域Ａに記録されていたとしても、上書き動作を実行せずに、上書き記録ストリームＡのＩＤ番号を新たに取得されたＩＤ番号であるＩＤ−３に書き換える（即ち、記録管理テーブル８ＡのＩＤ−３対応の位置に上書き記録ストリームＡに関する記録管理情報を移動させる）と共に、上書き識別子をＯＦＦに書き換えて、ユーザが視聴するまで、又は、不要として廃棄を指示するまで消去されることがない通常記録用の通常記録ストリームとして保存し直す遷移状態番号２１の状態に遷移する。なお、次回のＩＤ−０の上書き記録ストリームＢは新たに確保されたＨＤＤ７上の記録領域Ｂに、上書き識別子がＯＮ、未視聴識別子がＯＮの状態で、ＩＤ番号がＩＤ−０として記録される。
【００７１】
遷移状態番号２１において、更に次回のＩＤ−０の上書き記録ストリームＣの上書き記録要求が発生すると、遷移状態番号２０における場合と全く同様に、記録領域Ｂに記録されている上書き記録ストリームＢもユーザによってまだ視聴されていない状態にあるため、たとえ、上書き記録ストリームＢが上書き記録用として記録領域Ｂに記録されていたとしても、上書き動作を実行せずに、上書き記録ストリームＢのＩＤ番号を新たに取得されたＩＤ番号であるＩＤ−４に書き換える（即ち、記録管理テーブル８ＡのＩＤ−４対応の位置に上書き記録ストリームＢに関する記録管理情報を移動させる）と共に、上書き識別子をＯＦＦに書き換えて、通常記録用の通常記録ストリームとして保存し直す遷移状態番号２２の状態に遷移する。なお、次回のＩＤ−０の上書き記録ストリームＣは新たに確保されたＨＤＤ７上の記録領域Ｃに、上書き識別子がＯＮ、未視聴識別子がＯＮの状態で、ＩＤ番号がＩＤ−０として記録される。
【００７２】
遷移状態番号２２において、更に次回のＩＤ−０の上書き記録ストリームＤの上書き記録要求が発生すると、遷移状態番号２１における場合と全く同様に、記録領域Ｃに記録されている記録ストリームＣもユーザによってまだ視聴されていない状態にあるため、たとえ、記録ストリームＣが上書き記録用として記録領域Ｃに記録されていたとしても、上書き動作を実行せずに、上書き記録ストリームＣのＩＤ番号を新たに取得されたＩＤ番号であるＩＤ−５に書き換える（即ち、記録管理テーブル８ＡのＩＤ−５対応の位置に上書き記録ストリームＣに関する記録管理情報を移動させる）と共に、上書き識別子をＯＦＦに書き換えて、通常記録用の通常記録ストリームとして保存し直す遷移状態番号２３の状態に遷移する。なお、次回のＩＤ−０の上書き記録ストリームＤは新たに確保されたＨＤＤ７上の記録領域Ｄに、上書き識別子がＯＮ、未視聴識別子がＯＮの状態で、ＩＤ番号がＩＤ−０として記録される。
【００７３】
遷移状態番号２３においては、次回のＩＤ−０の上書き記録ストリームＥの上書き記録要求が発生するまでの間に、ユーザにより、記録領域Ｄに記録されているＩＤ−０の上書き記録用の記録ストリームＤが視聴されて、未視聴識別子がＯＮからＯＦＦの状態に設定された新たな状態に遷移する。かかる新たな状態に遷移した後において、更なる次回のＩＤ−０の上書き記録ストリームＥの上書き記録要求が発生した場合には、視聴済みの記録ストリームＤの記録領域Ｄを一旦開放して上書き記録ストリームＤを消去可能とすると共に、次回のＩＤ−０の上書き記録ストリームＥを新たに確保された記録領域Ｅに、上書き識別子がＯＮ、未視聴識別子がＯＮの状態で、ＩＤ番号がＩＤ−０として上書き記録させる遷移状態番号２４の状態に遷移する。なお、上書き記録が実行される遷移状態番号２４への遷移の際には、記録ストリームＥの記録用に新たな記録領域Ｅを確保するのではなく、前述の図７に示すフローチャートのごとく、視聴済みの記録ストリームＤが記録されていた記録領域Ｄの上に、記録ストリームＥを上書き記録することとしても良い。
【００７４】
遷移状態番号２４の状態においては、上書き記録用の予約番号「０」の放送番組のＩＤ番号が、未視聴の上書き記録ストリームである限り、旧ＩＤ−０から、古い順に順次新たに取得されたＩＤ−３，ＩＤ−４，ＩＤ−５に書き換えられると共に、上書き識別子がＯＦＦ状態に書き換えられて、上書き記録用ではなく通常記録用を示す通常記録ストリームとされて、ＨＤＤ７上に継続して保存されている状態となる。
かくのごとく、繰返し上書き記録用の上書き記録ストリームが視聴済みの状態にあれば、上書き記録動作を実行するが、一方、繰返し上書き記録用として記録された上書き記録ストリームであっても、ユーザが未視聴の状態にある限り、次回以降の上書き記録を回避して、当該上書き記録ストリームを通常記録ストリームとしてＨＤＤ７上に継続して保存することを可能としている。
【００７５】
次に、本発明に係るデジタル記録再生装置１００の異なる実施形態について説明する。前述の図８においては、上書き記録済みの上書き記録ストリームが未視聴の状態にあるにも関わらず、次回の新規上書きストリームによる上書き記録要求が発生した場合には、未視聴の状態にある上書き記録済みの当該上書き記録ストリームのＩＤ番号を別のＩＤ番号に書き換えると共に、上書き識別子をＯＦＦに設定して、上書き記録用ではなく通常記録用の通常記録ストリームに変更させるものであった。しかし、本実施形態においては、図３の記録管理テーブル８Ａの上書き制御情報に示すように、上書き識別子の他に、過去において上書き記録可能な上書き記録ストリームとして記録されていたことを示す上書き履歴情報として、上書き記録上書き保存識別子を備えているものである。
【００７６】
而して、上書き記録済みの記録ストリームが未視聴の状態にあるにも関わらず、次回の上書き記録要求が発生した場合には、上書き識別子をＯＦＦ状態に書き換える代わりに、上書き識別子をＯＮ状態のままとしても上書き記録動作を許可することがないように、上書き保存識別子をＯＮ状態に設定することにより、上書き記録要求が発生しても、未視聴状態の上書き記録ストリームに上書きされることを回避させると共に、通常の記録ストリームではなく、元々上書き記録用として記録されていた上書き記録ストリームであったことも識別可能としている。
【００７７】
図９は、ＨＤＤ７上の記録領域に上書き記録される上書き記録ストリームの遷移状態の異なる一例を示す模式図であり、上書き制御情報として、通常の記録動作により記録された通常記録ストリームとの識別を可能とする上書き保存識別子を付加した状態として記録する場合を示している。なお、図９において、符号２５及び２６は、ＩＤ番号がＩＤ−０の上書き記録ストリームの遷移過程を時系列的に表示する遷移状態番号を示している。図９の遷移状態番号２５は、図８に示した遷移状態番号２４と同様の状態にある場合を示しているが、図９は、前述のごとく、図８とは異なり、上書き制御情報の上書き履歴情報（即ち、ＨＤＤ７に過去記録された際に上書き可能な上書き記録ストリームとして記録されていたことを示す識別子）として上書き保存識別子が更に付加されている。
【００７８】
遷移状態番号２５及び２６において、上書き制御情報の各識別子の設定状態は次の通りである。ＩＤ−３，ＩＤ−４，ＩＤ−５の各上書き記録ストリームＡ，Ｂ，Ｃについては、上書き保存識別子がＯＮの状態に設定されて、上書きが禁止されている上書き回避状態にあると共に、通常記録用の通常記録ストリームと識別可能な状態に設定されているが、ＩＤ−０の最新の上書き記録ストリームＥについては、上書き保存識別子はＯＦＦの状態のままとされて、上書き可能な状態にある。一方、上書き識別子は、ＩＤ−０の最新の上書き記録ストリームＥのみならず、ＩＤ−３，ＩＤ−４，ＩＤ−５の各上書き記録ストリームＡ，Ｂ，Ｃについても、ＯＮの状態に設定されていて、通常記録動作ではなく、上書き記録された記録ストリームであることを示している。なお、ＩＤ−３，ＩＤ−４，ＩＤ−５の各上書き記録ストリームにおいては、上書き保存識別子がＯＮの状態に設定されていて、通常記録ストリームとは異なる上書き記録ストリームとして継続して保存するように設定されているので、ＩＤ−３，ＩＤ−４，ＩＤ−５の各上書き記録ストリームにおける上書き記録子の設定状態については、必ずしも、ＯＮ状態に設定する必要はない。
【００７９】
次に、図９の遷移状態番号２５において、ユーザにより、最も古く繰返し上書き記録されたＩＤ−３の上書き記録ストリームＡが視聴された場合、ＩＤ−３の未視聴識別子がＯＮからＯＦＦの状態に書き換えられる。従って、ＩＤ−３の記録ストリームＡは上書き保存識別子がＯＮ状態とされて上書き記録を回避して継続して保存可能な状態に設定されていたが、視聴済みの状態に遷移したので、ストリーム管理部＆ＨＤＤ制御部８は、通常の通常記録ストリームの場合と同様に、ＩＤ−３の上書き記録ストリームＡが記録されていたＨＤＤ７上の記録領域Ａを空き領域に自動的に開放すると共に、ＩＤ−３のＩＤ番号も開放して、上書き記録ストリームＡを消去した遷移状態番号２６に自動的に遷移する。
【００８０】
而して、ＩＤ番号のみならず、ＨＤＤ７上の記録領域を無駄に占有している状態を回避して、ＩＤ番号及び記録領域の有効活用を可能としている。なお、かくのごとく、視聴済みの状態に遷移した際に自動的に視聴済み記録ストリーム（即ち、視聴済み上書き記録ストリームや視聴済み通常記録ストリーム）を消去するか否かは、ユーザによって選択可能である。つまり、予約記録した放送番組に応じて、ユーザが、視聴済み記録ストリーム（視聴済み上書き記録ストリームや視聴済み通常記録ストリーム）の自動的消去の実行を予め登録している記録ストリームについてのみ、視聴後に自動的に消去し、一方、ユーザが自動的消去の実行を予め設定していない場合には、未視聴識別子がＯＦＦ状態に遷移したとしても、自動的消去を実行せずに、記録領域に記録されたままの状態を維持する。
【００８１】
更に、視聴済み記録ストリーム（視聴済み上書き記録ストリームや視聴済み通常記録ストリーム）の自動的消去を実行する場合としては、当該デジタル記録再生装置１００の起動時の場合であったり、あるいは、ユーザから一括消去を指示された場合であったり、あるいは、上書き記録が実行された場合であったり、更には、たとえ、未視聴の記録ストリームであったとしても、ユーザからの指示により、あるいは、ＨＤＤ７上の記録領域の記録状態に応じて実行される場合であったり、あるいは、当該デジタル記録再生装置１００のリカバリ動作時の場合であったり、当該デジタル記録再生装置１００の適用形態によって異なる任意の設定を行なうことも可能である。
また、図９に示す例においては、記録ストリームが１個のみ視聴済みとされた場合を示しているが、複数個の上書き記録ストリームが視聴済みの状態に遷移した場合であっても、かかる複数個の視聴済み上書き記録ストリームを自動的に消去するように動作させることが可能である。
【００８２】
以上の図９に示す動作について換言すれば、新たに新規上書き記録ストリームの上書き記録が実行される際に、既に上書き記録されている上書き記録ストリームの未視聴識別子が未視聴の状態にある場合には、前述した上書き識別子を、上書き記録しないことを示すＯＦＦ状態に変更して通常記録ストリームとして登録し直す代わりに、当該上書き記録ストリームが、ＨＤＤ７上に過去記録された際に上書き記録可能な上書き記録ストリームとして記録されていたことを示す上書き履歴情報として、通常の記録動作により記録された通常記録ストリームとの識別が可能な上書き保存識別子を付加した状態にして、前記未視聴識別子を未視聴の状態のまま、当該上書き記録ストリームに前記新規上書き記録ストリームを上書きせずに、ＨＤＤ７上に継続して保存することとし、前記上書き履歴情報が付加されている当該上書き記録ストリームが再生されて、前記未視聴識別子が視聴済みの状態に変更された場合に、当該上書き記録ストリームを自動的に消去することを可能としている。
【００８３】
なお、前述の図３及び図８に示す実施例においては、記録管理テーブル８Ａ内に設けられている上書き制御情報として、上書き記録の有無を示す上書き識別子（ＯＮが上書き記録された上書き記録ストリームであり、ＯＦＦが上書き記録対象外に変更された又は通常記録された通常記録ストリームであることを示す識別子）のみならず、上書き記録された上書き記録ストリームではあるが、未視聴状態にあるため上書き処理を回避させて保存し続けている状態にあることを示す上書き履歴情報として上書き保存識別子をも備えた上書き制御情報である場合を示しているが、本発明は、かかる場合のみに限るものではない。
【００８４】
即ち、例えば、過去ＨＤＤ７上に記録された際に上書き可能な上書き記録ストリームとして記録されていたことを示す上書き制御情報の上書き履歴情報として、図１０の記録管理テーブル８Ａ′に示すように、通常の記録動作により記録された通常記録ストリームとの識別を可能とする図３に示す上書き保存識別子の代わりに、次回の上書き記録の要求が発生したために新たに取得したＩＤ番号に書き換える前に割り当てられていた旧ＩＤ番号（書き換え前のＩＤ番号）を記憶することとしても良い。即ち、旧ＩＤ番号は、上書き可能な上書き記録ストリームとして記録されていたことを示す上書き履歴情報として、前記上書き保存識別子の代わりに、上書き記録された当該上書き記録ストリームに該当する特定放送番組を特定することができる番組識別番号を示している。
【００８５】
かかる旧ＩＤ番号を上書き履歴情報として付加することにより、通常の記録動作による通常記録ストリームとは異なる上書き記録ストリームであったことを識別可能とすると共に、当該上書き記録ストリームに該当する前記特定放送番組を特定することを可能としている。
ここに、図１０は、放送番組に関する記録ストリームのＨＤＤ７上への記録状況を登録管理する記録管理テーブルの異なる一例を示すメモリ構成図であり、上書き制御情報の上書き履歴情報として前述したような旧ＩＤ番号を有している。なお、図１０の記録管理テーブル８Ａ′においては、該旧ＩＤ番号の一例としては、前述した図８に示す上書き記録動作を実行した場合を例にとって記憶内容を示している。
【００８６】
図１０に示す記録管理テーブル８Ａ′のごとく、上書き制御情報における上書き履歴情報として、上書き保存識別子の代わりに、旧ＩＤ番号を記憶することにより、複数個の特定放送番組について同時に繰返し上書き記録の予約が登録されていたような場合であっても、上書き記録を回避して保存されている上書き記録ストリームが、どの特定放送番組の上書き記録に対応している上書き記録ストリームであるかを容易に識別することが可能となる。
【００８７】
更には、過去ＨＤＤ７上に記録された際に上書き可能な上書き記録ストリームとして記録されていたことを示す上書き制御情報の上書き履歴情報として、例えば、図１１の記録管理テーブル８Ａ″に示すように、通常の記録動作により記録された通常記録ストリームとの識別を可能とする図３に示す上書き保存識別子の代わりに、一つ前の上書き記録ストリームのＩＤ番号（書き換えられたＩＤ番号）をリンク情報（記録順序情報）として順次記憶させることにより、最新の上書き記録ストリームから始めて、当該上書き記録ストリームに関する特定放送番組の一つ前の記録ストリームを順次遡って識別していくことを可能としても良い。即ち、リンク情報は、上書き記録された当該上書き記録ストリームに該当する特定放送番組を特定することができ、かつ、上書き記録された順序を識別することができる記録順序情報を示している。
【００８８】
かかるリンク情報（記録順序情報）を上書き履歴情報として付加することにより、通常の記録動作による通常記録ストリームと異なる上書き記録ストリームであったことを識別可能とすると共に、当該上書き記録ストリームに該当する前記特定放送番組の上書き記録順序を識別することを可能としている。
ここに、図１１は、放送番組に関する記録ストリームのＨＤＤ７上への記録状況を登録管理する記録管理テーブルの更に異なる一例を示すメモリ構成図であり、上書き制御情報の上書き履歴情報として前記リンク情報を有している。即ち、前記リンク情報は、上書き可能な上書き記録ストリームとして記録されていたことを示す上書き履歴情報として、前記上書き保存識別子の代わりに、前述のごとく、上書き記録された記録順序を時系列的に識別することができる記録順序情報を示している。なお、図１１の記録管理テーブル８Ａ″においては、該リンク情報の一例としては、前述した図８に示す上書き記録動作を実行した場合を例にとって記憶内容を示している。
【００８９】
図１１に示す記録管理テーブル８Ａ″のごとく、上書き制御情報における上書き履歴情報として、上書き保存識別子の代わりに、リンク情報（即ち、記録順序情報）を記憶することにより、複数個の放送番組について同時に繰返し上書き記録の予約が登録されていたような場合であっても、上書き記録を回避して保存されている上書き記録ストリームが、どの放送番組の上書き記録に対応している上書き記録ストリームであるかを容易に識別することが可能となるのみならず、上書き記録を回避させた状態で保存されている上書き記録ストリームを時系列的に容易に把握することも可能である。
【００９０】
あるいは、例えば、当該デジタル記録再生装置１００の処理性能が高い場合であれば、図３に示す記録管理テーブル８Ａ内には、上書き制御情報の上書き履歴情報のみならず上書き識別子をも含めて一切有することなく、記録領域の格納位置情報と未視聴識別子と予約管理テーブル９Ａを索引可能な予約番号との３つの記録管理情報のみを有することとし、繰返し上書き記録を行なう特定放送番組に関する上書き記録ストリームと通常の記録を行なう放送番組に関する通常記録ストリームとのいずれの記録ストリームであるかの識別は、予約管理テーブル９Ａの予約種別を参照することにより行なうこととして、記録管理テーブルの構成を簡素化することとしても良い。
【００９１】
なお、前述した図３、図１０及び図１１のいずれの場合であっても、前記上書き履歴情報が付加されて上書きが回避された状態で保存されている上書き記録ストリームが再生されて、未視聴識別子が視聴済みの状態に変更された場合に、当該記録ストリームを自動的に消去することを可能とするか否かは、当該上書き記録ストリームに該当する特定放送番組毎に、ユーザが予め設定して登録しておき、視聴済みであれば自動的に消去しても良いとの登録を予め設定されている特定放送番組の上書き記録ストリームのみを消去させるように動作させることとしても良い。
【００９２】
次に、本発明に係るデジタル記録再生装置１００の更に異なる実施形態について、図１２を用いて説明する。ここに、図１２は、ＨＤＤ７上の記録領域に上書き記録される上書き記録ストリームの遷移状態の更に異なる一例を示す模式図であり、ストリーム管理部＆ＨＤＤ制御部８において、ＨＤＤ７上の記録領域が記録ストリームにより満杯になり、空き領域がなくなった場合における繰返し上書き記録動作の実施例を示している。なお、図１２において、符号２７及び２８は、ＩＤ番号がＩＤ−０の記録ストリームの遷移過程を時系列的に表示する遷移状態番号を示している。
【００９３】
遷移状態番号２７は、図８に示した遷移状態番号２３と同様の状態にある場合を示しているが、図１２の遷移状態番号２７においては、図８の遷移状態番号２３とは異なり、記録領域Ｄに記録されているＩＤ−０の上書き記録ストリームＤがまだ視聴されない未視聴状態にある間に、更に次回のＩＤ−０の上書き記録ストリームＥの上書き記録要求が発生している場合を示している。なお、図１２においても、図９に示すように、ＩＤ番号を書き換えることにより上書き記録を回避する際に、通常記録用の通常記録ストリームと識別可能とすべく、上書き制御情報の上書き履歴情報として、上書き保存識別子を備えている場合を例に取って説明している。
【００９４】
図１２の遷移状態番号２７にある場合においては、次回のＩＤ−０の上書き記録ストリームＥの上書き記録要求が発生した際に、前述した図８の遷移状態番号２０乃至２２に示した上書き記録動作のように、記録領域Ｄに記録されている記録ストリームＤがユーザによってまだ視聴されていない状態にあるため、たとえ、記録ストリームＤが上書き記録用として記録領域Ｄに記録されていたとしても、上書き動作を実行せずに、上書き記録ストリームＤのＩＤ番号を新たに取得されたＩＤ番号であるＩＤ−６に書き換える（即ち、記録管理テーブルのＩＤ−６対応の位置に上書き記録ストリームＤに関する記録管理情報を移動させる）と共に、図９に示したように、上書き保存識別子をＯＮに書き換えて、上書き記録を回避する上書き記録ストリームとして保存する状態に遷移させ、かつ、次回のＩＤ−０の上書き記録ストリームＥは、新たに確保されたＨＤＤ７上の記録領域Ｅに、上書き識別子がＯＮ、上書き保存識別子がＯＦＦ、未視聴識別子がＯＮの状態で、ＩＤ番号がＩＤ−０として記録させるべきである。
【００９５】
しかしながら、新たな記録領域Ｅを確保せんとした際に、ストリーム管理部＆ＨＤＤ制御部８において、ＨＤＤ７上の記録領域には空きの領域が存在していなく、満杯状態に陥っていることが検出された場合においては、新たに上書き記録せんとしている新規上書き記録ストリームＥを記録可能とするために、次のような記録動作を行なう。
【００９６】
即ち、上書き記録用の上書き記録ストリームとして記録されながら、未視聴のため、ＩＤ番号の書き換えがなされて保存されているＩＤ−３，ＩＤ−４，ＩＤ−５の上書き記録ストリームＡ，Ｂ，Ｃについて、ＯＮ状態に設定されている上書き保存識別子に基づいて検索して抽出し、最も古い上書き記録日時のＩＤ−３の上書き記録ストリームＡを記録している記録領域Ａを強制的に開放すると共に、ＩＤ−３のＩＤ番号も開放して、ＩＤ−３の上書き記録ストリームＡを強制的に消去する。而して、強制的に開放された記録領域Ａを、新たに上書き記録する新規上書き記録ストリームＥの記録領域として割り当てて、該記録領域Ａに最新の新規上書き記録ストリームＥを、上書き識別子がＯＮ、上書き保存識別子がＯＦＦ、未視聴識別子がＯＮの状態で、ＩＤ番号がＩＤ−０として記録する遷移状態番号２８の状態に遷移する。
【００９７】
換言すれば、新たに上書き記録予約が実行される際に、ＨＤＤ７上の記録可能な空き記録領域の容量と新たに上書き記録すべき新規上書き記録ストリームＥにより使用されると予想される使用記録容量とを比較し、新規上書き記録ストリームＥを記録可能な空き記録領域が不足している場合においては、過去に上書き記録可能な上書き記録ストリームとして記録されていたことを示す前記上書き履歴情報が付加されている１個又は複数個の上書き記録ストリームＡ，Ｂ，Ｃ群の中から、記録日時が最も古い上書き記録ストリームＡを自動的にかつ強制的に消去して、新規上書き記録ストリームＥを記録可能な空き記録領域Ａとして確保し、新たに発生した前記新規上書き記録ストリームＥを記録する動作が行なわれる。
【００９８】
また、新たに上書き記録予約が実行される際に、ＨＤＤ７上の記録可能な空き記録領域の容量と新たに上書き記録すべき新規上書き記録ストリームＥにより使用されると予想される使用記録容量とを比較し、記録可能な空き記録領域が不足している場合、過去に上書き記録可能な上書き記録ストリームとして記録されていたことを示す前記上書き履歴情報が付加されている１個又は複数個の上書き記録ストリームＡ，Ｂ，Ｃ群の中から、自動的に消去する記録日時が最も古い上書き記録ストリームを選択する際に、新たに発生した新規上書き記録ストリームＥに該当する特定放送番組に関する上書き記録ストリームの中から、記録日時が最も古い上書き記録ストリームを選択して、該上書き記録ストリームを自動的にかつ強制的に消去して、記録可能な空き記録領域を確保し、新たに発生した新規上書き記録ストリームＥを確保された該空き記録領域に記録するように動作させても良い。
【００９９】
かかる場合にあっては、今回新たに発生した新規上書き記録ストリームＥと同一の特定放送番組に関する上書き記録ストリームが記録されていた記録領域が自動的にかつ強制的に開放されて、新規上書き記録ストリームＥを記録させる記録領域とされるので、新規上書き記録ストリームＥに関する特定放送番組の視聴価値が少なく最も古い上書き記録ストリームのみを消去することを可能としているのみならず、新規上書き記録ストリームＥが使用すると予測される使用記録容量以上の記録容量を有する記録領域として確実に確保することができる。
【０１００】
しかしながら、新規上書き記録ストリームＥと同一の特定放送番組にかかる上書き記録ストリームを狙って開放する場合に限らず、記録日時が最も古い上書き記録ストリームの記録領域を自動的にかつ強制的に開放せんとする場合であっても、自動的にかつ強制的に開放させた記録領域は、新たに上書き記録するＩＤ−０の新規上書き記録ストリームＥの記録領域として十分な記録容量を有していることが必要であり、新たに上書き記録するＩＤ−０の新規上書き記録ストリームＥの放送時間及びビットレートを、上書き記録されて既に上書き記録を回避させる状態に移行しているＩＤ−３，ＩＤ−４，ＩＤ−５の上書き記録ストリームＡ，Ｂ，Ｃそれぞれの放送時間及びビットレートと比較照合することにより、今回のＩＤ−０の新規上書き記録ストリームＥを記録可能とする記録容量以上の記録容量を使用している上書き記録ストリームをＩＤ−３，ＩＤ−４，ＩＤ−５の上書き記録ストリームＡ，Ｂ，Ｃの中から選択し、更に、かかる上書き記録ストリームの中から最も古い記録日時を示す上書き記録ストリームの記録領域を開放することとしても良い。
【０１０１】
更には、新たに上書き記録予約が実行される際に、ＨＤＤ７上の記録可能な空き記録領域が不足している場合において、かくのごとく記録容量を比較照合する動作を行なうこととする場合、過去に上書き記録可能として記録されていたことを示す前記上書き履歴情報が付加されている１個又は複数個の上書き記録ストリームＡ，Ｂ，Ｃ群の中から、記録日時が古い上書き記録ストリームの順番に、各当該上書き記録ストリームが使用している使用済み記録容量を、順次累積して、新規上書き記録ストリームＥが使用すると予測される使用記録容量と比較し、新規上書き記録ストリームＥの該使用記録容量以上の前記使用済み記録容量が累積されるまでの各前記上書き記録ストリームを自動的に消去して、新規上書き記録ストリームＥを記録可能な空き記録領域として確保し、新規上書き記録ストリームＥを記録させるようにしても良い。
【０１０２】
ここで、上書き履歴情報として上書き保存識別子の代わりに、前述の図１０に示したように、旧ＩＤ番号を登録するようにすれば、今回上書き記録せんとしている新規上書き記録ストリームＥと同一のＩＤ番号を有していた同じ特定放送番組の上書き記録ストリームを直ちに識別可能であり、新規上書き記録ストリームＥを記録することが可能な記録容量を有する記録領域を直ちに開放させることが可能であり、前述のごとく、同一の特定放送番組を識別するための処理や記録容量の確認を行なうような煩雑さから開放させ、更に迅速な上書き記録動作を行なうことが可能となる。更には、前述の図１１に示したように、上書き履歴情報としてＩＤ番号のリンク情報（記録順序情報）を登録することとすれば、該リンク情報をたどることにより、記録日時が最も古い上書き記録ストリームを直ちに抽出することが可能となり、更に迅速な上書き記録動作を行なうことが可能となる。
【０１０３】
なお、新たに上書き記録予約が実行される際に、ＨＤＤ７上の記録可能な空き記録領域が不足している場合に、過去に上書き記録可能として記録されていたことを示す前記上書き履歴情報が付加されている１個又は複数個の上書き記録ストリームＡ，Ｂ，Ｃ群の中からいずれか記録日時が最も古い上書き記録ストリーム又は古い順番に順次上書き記録ストリームを自動的にかつ強制的に消去することを可能とするか否かを、当該上書き記録ストリームに該当する特定放送番組毎に、ユーザが予め設定して登録することにより、ユーザが自動的に消去可能と予め指定している特定放送番組についてのみ消去動作を行なわせることとしても良い。
【０１０４】
【発明の効果】
本発明に係るデータ記録再生装置及びデジタル記録再生方法によれば、繰返し上書き記録される上書き記録ストリーム（上書き記録放送番組）をユーザがまだ視聴していない状態にある場合には、上書き記録されて消去されないように、上書き記録用とは全く別の通常記録用の通常記録ストリームとして、あるいは、上書きを回避する状態にして、保存し続けることを可能としており、一旦上書き記録された上書き記録ストリームをユーザが視聴せずに見落としてしまうような不具合の発生を回避することを可能にしている。
【０１０５】
また、上書き記録された上書き記録ストリーム（上書き記録放送番組）であって、未視聴状態にある限り、上書き記録されて消去されないように、上書き記録用とは全く別の通常記録用の通常記録ストリームとして、あるいは、上書きを回避する状態にして、保存し続けている場合であっても、当該記録ストリームがユーザにより視聴された場合や、あるいは、不要とされた場合には、ユーザの設定に応じて自動的に消去することにより、記録ストリームを記録するデジタル記録メディアの無駄な記録領域の占有を低減し、記録領域の有効活用を図ることを可能としている。
【０１０６】
更に、記録ストリームを記録するデジタル記録メディアの記録容量が不足し、新たに発生した新規上書き記録ストリームを記録できない状態が発生した場合であっても、当該新規上書き記録ストリームを上書き記録により上書き記録ストリームとして記録させたい場合には、未視聴状態にあって、上書き記録されて消去されないように、上書き記録用とは全く別の通常記録用の通常記録ストリームとして、あるいは、上書きを回避する状態にして、保存し続けている記録ストリームの中から、記録日時の最も古いものから順次自動消去することにより、視聴価値が減少している古い記録ストリームの代わりに、最新の上書き記録ストリーム（上書き記録放送番組）を記録することを可能としている。
【図面の簡単な説明】
【図１】本発明に係るデジタル記録再生装置の構成の一実施例を示すブロック構成図である。
【図２】放送番組の予約状況を登録管理する予約管理テーブルの一例を示すメモリ構成図である。
【図３】放送番組に関する記録ストリームのＨＤＤへの記録状況を登録管理する記録管理テーブルの一例を示すメモリ構成図である。
【図４】ＭＰＥＧ２のＴＳデータを記録ストリームとしてＨＤＤ７の記録領域へ記録する際の各記録ストリームの記録領域を模式的に図示した模式図である。
【図５】予約放送番組としてＨＤＤへ上書き記録される上書き記録ストリームの記録領域の確保形態に関する異なる一例を模式的に図示した模式図である。
【図６】ＨＤＤの記録領域に上書き記録する際の動作手順の一例を説明するためのフローチャートである。
【図７】ＨＤＤの記録領域に上書き記録する際の図６に引き続く残りの部分の動作手順の一例を説明するためのフローチャートである。
【図８】ＨＤＤ上の記録領域に上書き記録される上書き記録ストリームの遷移状態の一例を示す模式図である。
【図９】ＨＤＤ上の記録領域に上書き記録される上書き記録ストリームの遷移状態の異なる一例を示す模式図である。
【図１０】放送番組に関する記録ストリームのＨＤＤ上への記録状況を登録管理する記録管理テーブルの異なる一例を示すメモリ構成図である。
【図１１】放送番組に関する記録ストリームのＨＤＤ上への記録状況を登録管理する記録管理テーブルの更に異なる一例を示すメモリ構成図である。
【図１２】ＨＤＤ上の記録領域に上書き記録される上書き記録ストリームの遷移状態の更に異なる一例を示す模式図である。
【符号の説明】
１…ＢＳデジタルアンテナ、２…ＢＳ受信部、３…ＮＴＳＣ方式アンテナ、４…ＮＴＳＣ受信部、５…ＭＰＥＧ２エンコーダ、６…信号スイッチ、７…ＨＤＤ、８…ストリーム管理部＆ＨＤＤ制御部、８Ａ，８Ａ′，８Ａ″…記録管理テーブル、８ａ…上書き記録部、８ａ１…上書き記録管理部、８ａ２…変更登録部、８ｂ…ＨＤＤ記録領域管理部、８ｂ１…空き容量管理部、８ｂ２…使用容量予測部、９…予約処理部＆システム制御部、９Ａ…予約管理テーブル、９ａ…繰返し記録予約部、１０…ＭＰＥＧ２デコーダ、１１…表示部、２０〜２８…遷移状態番号、１００…デジタル記録再生装置、ａ，ａ′，ｂ，ｃ１，ｃ２…記録領域。
【図１】
2004213834.tif 000003
【図２】
2004213834.tif 000004
【図３】
2004213834.tif 000005
【図４】
2004213834.tif 000006
【図５】
2004213834.tif 000007
【図６】
2004213834.tif 000008
【図７】
2004213834.tif 000009
【図８】
2004213834.tif 000010
【図９】
2004213834.tif 000011
【図１０】
2004213834.tif 000012
【図１１】
2004213834.tif 000013
【図１２】
2004213834.tif 000014